(57)【要約】【課題】対象物の接近又は接触の検出精度の低下を抑制する。又は、短い時間でタッチ検出を行う。【解決手段】タッチ検出装置は、複数の駆動電極と、複数の駆動電極との間に静電容量を形成する複数のタッチ検出電極と、互いに電圧が異なる複数の直流信号を生成する信号生成部と、複数の直流信号の内の１つを駆動電極に選択的に供給する第１の駆動部と、所定の大きさの静電容量を有する素子と、第１の駆動部と同期して、複数の直流信号の内の１つを素子の一端に選択的に供給する第２の駆動部と、タッチ検出電極からの出力値及び素子からの出力値を同一のタイミングで取得し、タッチ検出電極からの出力値を素子からの出力値で補正した値に基づいて、対象物の接近又は接触を検出する検出部と、を備える。【選択図】図１
2015135622.tif 000002
【特許請求の範囲】
【請求項１】
複数の駆動電極と、
前記複数の駆動電極との間に静電容量を形成する複数のタッチ検出電極と、
互いに電圧が異なる複数の直流信号を生成する信号生成部と、
前記複数の直流信号の内の１つを前記駆動電極に選択的に供給する第１の駆動部と、
所定の大きさの静電容量を有する素子と、
前記第１の駆動部と同期して、前記複数の直流信号の内の１つを前記素子の一端に選択的に供給する第２の駆動部と、
前記タッチ検出電極からの出力値及び前記素子からの出力値を同一のタイミングで取得し、前記タッチ検出電極からの出力値を前記素子からの出力値で補正した値に基づいて、対象物の接近又は接触を検出する検出部と、
を備える、タッチ検出装置。
【請求項２】
前記素子が有する静電容量は、前記駆動電極と前記タッチ検出電極との間に形成される静電容量と略同一である、請求項１に記載のタッチ検出装置。
【請求項３】
前記第２の駆動部は、前記第１の駆動部から前記駆動電極に供給される信号と逆位相の信号を前記素子に供給し、
前記検出部は、前記タッチ検出電極からの出力値と前記素子からの出力値との和を、前記タッチ検出電極からの出力値の補正値とする、請求項１又は２に記載のタッチ検出装置。
【請求項４】
前記第２の駆動部は、前記第１の駆動部から前記駆動電極に供給される信号と同位相の信号を前記素子に供給し、
前記検出部は、前記素子に蓄えられた電荷と、前記タッチ検出電極からの電荷と、をそれぞれ一時的に蓄電した後、両方の電荷の差分を求め、得られた前記差分を前記タッチ検出電極からの出力値の補正値とする、請求項１又は２に記載のタッチ検出装置。
【請求項５】
前記第１の駆動部は、前記複数の駆動電極を、所定本数の駆動電極で構成される電極ブロックを単位として駆動する、請求項１又は２に記載のタッチ検出装置。
【請求項６】
前記素子は、前記検出部が実装される基板に実装される、請求項１又は２に記載のタッチ検出装置。
【請求項７】
前記素子と前記第２の駆動部とを電気的に接続する配線は、前記素子と前記検出部とを電気的に接続する配線よりも長い、請求項１又は２に記載のタッチ検出装置。
【請求項８】
請求項１から７のいずれか１項に記載のタッチ検出装置と、
複数の表示素子と、
を備え、
前記信号生成部は、第１の直流信号及び第２の直流信号を生成し、
前記第１の駆動部は、前記表示素子に画素信号が書き込まれる書込期間において、前記複数の駆動電極に対して前記第１の直流信号を供給し、前記書込期間とは異なるタッチ検出期間のうちの少なくとも一部の期間において、前記複数の駆動電極のうちのタッチ検出の対象である１または複数の駆動対象電極に対して、前記第２の直流信号を供給する、
タッチ検出機能付き表示装置。
【請求項９】
前記第１の駆動部は、前記タッチ検出期間において、前記複数の駆動電極のうちの前記駆動対象電極以外の駆動電極を、電気的にフローティング状態にする、
請求項８に記載のタッチ検出機能付き表示装置。
【請求項１０】
前記第１の駆動部は、前記タッチ検出期間において、前記複数の駆動電極のうちの前記駆動対象電極以外の駆動電極に対して、前記第１の直流信号を供給する、請求項８に記載のタッチ検出機能付き表示装置。
【請求項１１】
前記画素信号を生成する画素信号生成部と、
前記画素信号を伝える複数の信号線と、
を更に備え、
前記画素信号生成部は、前記書込期間において、前記複数の信号線に対して前記画素信号を供給し、前記タッチ検出期間において、前記複数の信号線をフローティング状態にする、請求項８に記載のタッチ検出機能付き表示装置。
【請求項１２】
１の前記書込期間が１つの水平期間に存在し、
前記タッチ検出期間は、複数の書込期間に１つの割合で設けられている、請求項８に記載のタッチ検出機能付き表示装置。
【請求項１３】
前記表示素子は、
液晶層と、
前記液晶層と前記駆動電極との間に形成され又は前記液晶層との間に前記駆動電極を挟んで形成された画素電極と、
を含んで構成される、請求項８に記載のタッチ検出機能付き表示装置。
【請求項１４】
前記表示素子は、
液晶層と、
前記液晶層を挟んで前記駆動電極と対向するように配置された画素電極と、
を含んで構成される、請求項８に記載のタッチ検出機能付き表示装置。
【請求項１５】
請求項８から１４のいずれか１項に記載のタッチ検出機能付き表示装置を備えた電子機器。
【発明の詳細な説明】
【技術分野】
【０００１】
本発明は、外部から接近する対象物を検出可能なタッチ検出装置、これを備えたタッチ検出機能付き表示装置及び電子機器に関する。
【背景技術】
【０００２】
近年、いわゆるタッチパネルと呼ばれる、外部から接近する物体を対象物として検出可能なタッチ検出装置が注目されている。タッチ検出装置は、例えば、表示装置と組み合わされ、表示装置に各種の入力用の画像等を表示させることにより、情報を入力するための装置として用いられる。このように、タッチ検出装置を表示装置と組み合わせることにより、キーボード、マウス又はキーパッドのような入力装置を用いなくても情報の入力が可能になる。
【０００３】
タッチ検出装置の方式として、光学式、抵抗式、静電容量式等が存在する。静電容量式のタッチ検出装置は、比較的単純な構造であり、かつ低消費電力が実現できる。タッチ検出装置には、対象物の接近又は接触をできるだけ確実に検出することが求められる。例えば、特許文献１には、操作面に接触する指の影響を受けない位置に補正電極と補正検出電極とを設けて、入力検知信号の変動を補正する技術が記載されている。
【先行技術文献】
【特許文献】
【０００４】
【特許文献１】特開２０１２−４３２７５号公報
【発明の概要】
【発明が解決しようとする課題】
【０００５】
ところで、特許文献１に記載された技術は、複数の駆動ラインに順番に駆動電圧が与えられた後に補正電極に駆動電圧が与えられる。このため、対象物の検出と入力検知信号の補正とに時間差が発生する結果、対象物を確実に検出できない可能性がある。
【０００６】
本発明は、対象物の接近又は接触の検出精度の低下を抑制できるタッチ検出装置、タッチ検出機能付き表示装置及び電子機器を提供する。又は、短い時間でタッチ検出を行うことができるタッチ検出装置、タッチ検出機能付き表示装置及び電子機器を提供する。
【課題を解決するための手段】
【０００７】
本発明の一態様のタッチ検出装置は、複数の駆動電極と、前記複数の駆動電極との間に静電容量を形成する複数のタッチ検出電極と、互いに電圧が異なる複数の直流信号を生成する信号生成部と、前記複数の直流信号の内の１つを前記駆動電極に選択的に供給する第１の駆動部と、所定の大きさの静電容量を有する素子と、前記第１の駆動部と同期して、前記複数の直流信号の内の１つを前記素子の一端に選択的に供給する第２の駆動部と、前記タッチ検出電極からの出力値及び前記素子からの出力値を同一のタイミングで取得し、前記タッチ検出電極からの出力値を前記素子からの出力値で補正した値に基づいて、対象物の接近又は接触を検出する検出部と、を備える。
【０００８】
さらに、他の一態様として、前記素子が有する静電容量は、前記駆動電極と前記タッチ検出電極との間に形成される静電容量と略同一である。
【０００９】
さらに、他の一態様として、前記第２の駆動部は、前記第１の駆動部から前記駆動電極に供給される信号と逆位相の信号を前記素子に供給し、前記検出部は、前記タッチ検出電極からの出力値と前記素子からの出力値との和を、前記タッチ検出電極からの出力値の補正値とする。
【００１０】
さらに、他の一態様として、前記第２の駆動部は、前記第１の駆動部から前記駆動電極に供給される信号と同位相の信号を前記素子に供給し、前記検出部は、前記素子に蓄えられた電荷と、前記タッチ検出電極からの電荷と、をそれぞれ一時的に蓄電した後、両方の電荷の差分を求め、得られた前記差分を前記タッチ検出電極からの出力値の補正値とする。
【００１１】
さらに、他の一態様として、前記第１の駆動部は、前記複数の駆動電極を、所定本数の駆動電極で構成される電極ブロックを単位として駆動する。
【００１２】
さらに、他の一態様として、前記素子は、前記検出部が実装される基板に実装される。
【００１３】
さらに、他の一態様として、前記素子と前記第２の駆動部とを電気的に接続する配線は、前記素子と前記検出部とを電気的に接続する配線よりも長い。
【００１４】
本発明の一態様のタッチ検出機能付き表示装置は、本発明のタッチ検出装置と、複数の表示素子と、を備え、前記信号生成部は、第１の直流信号及び第２の直流信号を生成し、前記第１の駆動部は、前記表示素子に画素信号が書き込まれる書込期間において、前記複数の駆動電極に対して前記第１の直流信号を供給し、前記書込期間とは異なるタッチ検出期間のうちの少なくとも一部の期間において、前記複数の駆動電極のうちのタッチ検出の対象である１または複数の駆動対象電極に対して、前記第２の直流信号を供給する。
【００１５】
さらに、他の一態様として、前記第１の駆動部は、前記タッチ検出期間において、前記複数の駆動電極のうちの前記駆動対象電極以外の駆動電極を、電気的にフローティング状態にする。
【００１６】
さらに、他の一態様として、前記第１の駆動部は、前記タッチ検出期間において、前記複数の駆動電極のうちの前記駆動対象電極以外の駆動電極に対して、前記第１の直流信号を供給する。
【００１７】
さらに、他の一態様として、前記画素信号を生成する画素信号生成部と、前記画素信号を伝える複数の信号線と、を更に備え、前記画素信号生成部は、前記書込期間において、前記複数の信号線に対して前記画素信号を供給し、前記タッチ検出期間において、前記複数の信号線をフローティング状態にする。
【００１８】
さらに、他の一態様として、１の前記書込期間が１つの水平期間に存在し、前記タッチ検出期間は、複数の書込期間に１つの割合で設けられている。
【００１９】
さらに、他の一態様として、前記表示素子は、液晶層と、前記液晶層と前記駆動電極との間に形成され又は前記液晶層との間に前記駆動電極を挟んで形成された画素電極と、を含んで構成される。
【００２０】
さらに、他の一態様として、前記表示素子は、液晶層と、前記液晶層を挟んで前記駆動電極と対向するように配置された画素電極と、を含んで構成される。
【００２１】
本発明の電子機器は、上記タッチ検出機能付き表示装置を備えたものである。本発明の電子機器は、例えば、テレビジョン装置、ディジタルカメラ、パーソナルコンピュータ、ビデオカメラあるいは携帯電話等の携帯端末装置などが該当する。
【図面の簡単な説明】
【００２２】
【図１】図１は、第１の実施の形態に係るタッチ検出機能付き表示装置の一構成例を示す図である。
【図２】図２は、タッチ検出機能付き表示デバイスの要部断面構造の例を示す図である。
【図３】図３は、液晶表示デバイスにおける画素構造の構成例を示す図である。
【図４】図４は、タッチ検出デバイスの一構成例を示す図である。
【図５】図５は、静電容量型タッチ検出方式の基本原理を説明するため、指が接触又は近接していない状態を表す説明図である。
【図６】図６は、図５に示す指が接触又は近接していない状態の等価回路の例を示す説明図である。
【図７】図７は、静電容量型タッチ検出方式の基本原理を説明するため、指が接触又は近接した状態を表す説明図である。
【図８】図８は、図７に示す指が接触又は近接した状態の等価回路の例を示す説明図である。
【図９】図９は、駆動信号及びタッチ検出信号の波形の一例を表す図である。
【図１０】図１０は、タッチ検出デバイスの一構成例を斜視的に示す図である。
【図１１】図１１は、選択スイッチ部の一構成例を表すブロック図である。
【図１２】図１２は、タッチ検出走査を模式的に示す図である。
【図１３】図１３は、タッチ検出走査を模式的に示す図である。
【図１４】図１４は、タッチ検出走査を模式的に示す図である。
【図１５】図１５は、表示走査及びタッチ検出走査を模式的に示す図である。
【図１６】図１６は、駆動信号生成部の一構成例を示す図である。
【図１７】図１７は、駆動電極ドライバの一構成例を示す図である。
【図１８】図１８は、スイッチ回路の一構成例を示す図である。
【図１９】図１９は、タッチ検出機能付き表示装置の実装例を模式的に示す図である。
【図２０】図２０は、タッチ検出電極からの出力値を補正する処理を示す模式図である。
【図２１】図２１は、タッチ検出電極からの出力値を補正する処理を示す模式図である。
【図２２】図２２は、タッチ検出電極及びコンデンサからの出力値を取得するタイミングを示す図である。
【図２３】図２３は、タッチ検出電極からの出力値を補正しない場合におけるタッチ検出信号の一例を示す図である。
【図２４】図２４は、タッチ検出電極からの出力値を補正した場合におけるタッチ検出信号の一例を示す図である。
【図２５】図２５は、タッチ検出電極からの出力値を補正するタイミングを説明するための図である。
【図２６】図２６は、補正タッチ検出信号を示す図である。
【図２７】図２７は、補正用の回路の例を示す図である。
【図２８】図２８は、補正用の回路の例を示す図である。
【図２９】図２９は、補正用の回路の例を示す図である。
【図３０】図３０は、補正用の回路の例を示す図である。
【図３１】図３１は、図３０に示す補正用の回路のタイミングチャートである。
【図３２】図３２は、タッチ検出機能付き表示装置のタイミング波形例を示す図である。
【図３３】図３３は、タッチ検出走査の動作例を示す図である。
【図３４】図３４は、比較例１に係るタッチ検出機能付き表示装置の実装例を模式的に示す図である。
【図３５】図３５は、比較例２に係るタッチ検出機能付き表示装置の一構成例を示す図である。
【図３６】図３６は、比較例２に係るタッチ検出機能付き表示装置の実装例を模式的に示す図である。
【図３７】図３７は、比較例２に係るタッチ検出機能付き表示装置のタイミング波形例を示す図である。
【図３８】図３８は、比較例２に係るタッチ検出機能付き表示装置と、第１の実施の形態に係るタッチ検出機能付き表示装置における、駆動信号の立ち上がり時間と立ち下がり時間の特性例を示す図である。
【図３９】図３９は、変形例１−１に係るタッチ検出機能付き表示装置の動作を模式的に示す図である。
【図４０】図４０は、変形例１−１に係るタッチ検出機能付き表示装置のタッチ検出期間におけるタッチ検出動作を示す図である。
【図４１】図４１は、変形例１−１に係るタッチ検出機能付き表示装置のタッチ検出期間におけるタッチ検出動作を示す図である。
【図４２】図４２は、変形例１−２に係る駆動電極ドライバの一構成例を示す図である。
【図４３】図４３は、図４２のデコーダの真理値表を示す図である。
【図４４】図４４は、変形例１−２に係る駆動電極ドライバの他の構成例を示す図である。
【図４５】図４５は、変形例１−２に係る駆動電極ドライバの他の構成例を示す図である。
【図４６】図４６は、図４５のデコーダの真理値表を示す図である。
【図４７】図４７は、第２の実施の形態に係る駆動部の一構成例を示す図である。
【図４８】図４８は、第２の実施の形態に係るタッチ検出機能付き表示装置のタイミング波形例を示す図である。
【図４９】図４９は、比較例２に係るタッチ検出機能付き表示装置と、第２の実施の形態に係るタッチ検出機能付き表示装置における、駆動信号の立ち上がり時間と立ち下がり時間の特性例を示す図である。
【図５０】図５０は、変形例２−１に係るタッチ検出機能付き表示装置の一構成例を示す図である。
【図５１】図５１は、変形例２−１に係るタッチ検出機能付き表示装置のタイミング波形例を示す図である。
【図５２】図５２は、タッチ検出機能付き表示装置における、タッチ検出に要する時間を示す図である。
【図５３】図５３は、タッチ検出機能付き表示デバイスの要部断面構造の一例を示す図である。
【図５４】図５４は、本実施形態に係るタッチ検出機能付き表示装置を適用する電子機器の一例を示す図である。
【図５５】図５５は、本実施形態に係るタッチ検出機能付き表示装置を適用する電子機器の一例を示す図である。
【図５６】図５６は、本実施形態に係るタッチ検出機能付き表示装置を適用する電子機器の一例を示す図である。
【図５７】図５７は、本実施形態に係るタッチ検出機能付き表示装置を適用する電子機器の一例を示す図である。
【図５８】図５８は、本実施形態に係るタッチ検出機能付き表示装置を適用する電子機器の一例を示す図である。
【図５９】図５９は、本実施形態に係るタッチ検出機能付き表示装置を適用する電子機器の一例を示す図である。
【図６０】図６０は、本実施形態に係るタッチ検出機能付き表示装置を適用する電子機器の一例を示す図である。
【図６１】図６１は、本実施形態に係るタッチ検出機能付き表示装置を適用する電子機器の一例を示す図である。
【図６２】図６２は、本実施形態に係るタッチ検出機能付き表示装置を適用する電子機器の一例を示す図である。
【図６３】図６３は、本実施形態に係るタッチ検出機能付き表示装置を適用する電子機器の一例を示す図である。
【図６４】図６４は、本実施形態に係るタッチ検出機能付き表示装置を適用する電子機器の一例を示す図である。
【図６５】図６５は、本実施形態に係るタッチ検出機能付き表示装置を適用する電子機器の一例を示す図である。
【図６６】図６６は、本実施形態に係るタッチ検出機能付き表示装置を適用する電子機器の一例を示す図である。
【発明を実施するための形態】
【００２３】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。さらに、以下に記載した構成要素は適宜組み合わせることが可能である。なお、説明は以下の順序で行う。
１．第１の実施の形態
２．第２の実施の形態
３．適用例（電子機器）
上記実施形態に係るタッチ検出機能付き表示装置が電子機器に適用されている例
【００２４】
＜１．第１の実施の形態＞
［構成例］
図１は、第１の実施の形態に係るタッチ検出機能付き表示装置の一構成例を示す図である。このタッチ検出機能付き表示装置１は、タッチ検出機能付き表示デバイス１０と、制御部１１と、ゲートドライバ１２と、ソースドライバ１３と、選択スイッチ部１４と、駆動信号生成部１５と、駆動電極ドライバ１６と、タッチ検出部４０と、スイッチ回路ＳＷｒｅｆと、容量素子としてのコンデンサＣｒｅｆと、を備えている。
【００２５】
（タッチ検出機能付き表示デバイス）
まず、タッチ検出機能付き表示デバイス１０の構成例を詳細に説明する。タッチ検出機能付き表示デバイス１０は、タッチ検出機能を内蔵した表示デバイスである。タッチ検出機能付き表示デバイス１０は、液晶表示デバイス２０と、タッチ検出デバイス３０とを有する。液晶表示デバイス２０は、後述するように、ゲートドライバ１２から供給される走査信号Ｖｓｃａｎに従って、１水平ラインずつ順次走査して表示を行うデバイスである。タッチ検出デバイス３０は、タッチ検出信号Ｖｄｅｔを出力するものである。このタッチ検出デバイス３０は、後述するように、駆動電極ドライバ１６から供給される駆動信号Ｖｃｏｍに従って順次走査してタッチ検出を行う。
【００２６】
図２は、タッチ検出機能付き表示デバイスの要部断面構造の例を示す図である。このタッチ検出機能付き表示デバイス１０は、画素基板２と、この画素基板２に対向して配置された対向基板３と、画素基板２と対向基板３との間に挿設された液晶層６とを備えている。
【００２７】
画素基板２は、回路基板としてのＴＦＴ基板２１と、駆動電極ＣＯＭＬと、画素電極２２と、を有している。ＴＦＴ基板２１は、各種電極や配線（後述する画素信号線ＳＧＬや走査信号線ＧＣＬ等）、薄膜トランジスタ（ＴＦＴ；Thin  Film  Transistor）などが形成される回路基板として機能する。ＴＦＴ基板２１は、例えばガラスにより構成される。ＴＦＴ基板２１の上には、駆動電極ＣＯＭＬが形成される。駆動電極ＣＯＭＬは、複数の画素Ｐｉｘ（後述）に共通の電圧を供給するための電極である。この駆動電極ＣＯＭＬは、液晶表示動作のための共通駆動電極として機能するとともに、タッチ検出動作のための駆動電極としても機能する。駆動電極ＣＯＭＬの上には絶縁層２３が形成され、その上に画素電極２２が形成される。画素電極２２は、表示を行うための画素信号を供給するための電極であり、透光性を有する。駆動電極ＣＯＭＬ及び画素電極２２は、例えばＩＴＯ（Indium  Tin  Oxide）により構成される。
【００２８】
対向基板３は、ガラス基板３１と、カラーフィルタ３２と、タッチ検出電極ＴＤＬと、を有している。カラーフィルタ３２は、ガラス基板３１の一方の面に形成されている。このカラーフィルタ３２は、例えば赤（Ｒ）、緑（Ｇ）、青（Ｂ）の３色のカラーフィルタ層を周期的に配列して構成したもので、各表示画素にＲ、Ｇ、Ｂの３色が１組として対応付けられている。また、ガラス基板３１の他方の面には、タッチ検出電極ＴＤＬが形成されている。タッチ検出電極ＴＤＬは、例えばＩＴＯにより構成され、透光性を有する電極である。このタッチ検出電極ＴＤＬの上には、偏光板３５が配設されている。
【００２９】
液晶層６は、表示機能層として機能するものであり、電界の状態に応じてそこを通過する光を変調する。この電界は、駆動電極ＣＯＭＬの電圧と画素電極２２の電圧との電位差により形成される。液晶層６には、ＦＦＳ（フリンジフィールドスイッチング）やＩＰＳ（インプレーンスイッチング）等の横電界モードの液晶が用いられる。
【００３０】
なお、液晶層６と画素基板２との間及び液晶層６と対向基板３との間には、それぞれ配向膜が配設され、また、画素基板２の下面側には入射側偏光板が配置されるが、ここでは図示を省略している。
【００３１】
図３は、液晶表示デバイスにおける画素構造の構成例を示す図である。液晶表示デバイス２０は、マトリックス状に配列した複数の画素Ｐｉｘを有している。各画素Ｐｉｘは、３つのサブ画素ＳＰｉｘにより構成される。この３つのサブ画素ＳＰｉｘは、図２に示したカラーフィルタ３２の３色（ＲＧＢ）にそれぞれ対応するように配置されている。サブ画素ＳＰｉｘは、ＴＦＴ素子Ｔｒ及び液晶素子ＬＣを有している。ＴＦＴ素子Ｔｒは、薄膜トランジスタにより構成されるものであり、この例では、ｎチャネルのＭＯＳ（Metal  Oxide  Semiconductor）型のＴＦＴで構成されている。ＴＦＴ素子Ｔｒのソースは画素信号線ＳＧＬに接続され、ゲートは走査信号線ＧＣＬに接続され、ドレインは液晶素子ＬＣの一端に接続されている。液晶素子ＬＣは、一端がＴＦＴ素子Ｔｒのドレインに接続され、他端が駆動電極ＣＯＭＬに接続されている。
【００３２】
サブ画素ＳＰｉｘは、走査信号線ＧＣＬにより、液晶表示デバイス２０の同じ行に属する他のサブ画素ＳＰｉｘと互いに接続されている。走査信号線ＧＣＬは、ゲートドライバ１２と接続され、ゲートドライバ１２より走査信号Ｖｓｃａｎが供給される。また、サブ画素ＳＰｉｘは、画素信号線ＳＧＬにより、液晶表示デバイス２０の同じ列に属する他のサブ画素ＳＰｉｘと互いに接続されている。画素信号線ＳＧＬは、選択スイッチ部１４と接続され、選択スイッチ部１４より画素信号Ｖｐｉｘが供給される。
【００３３】
さらに、サブ画素ＳＰｉｘは、駆動電極ＣＯＭＬにより、液晶表示デバイス２０の同じ行に属する他のサブ画素ＳＰｉｘと互いに接続されている。駆動電極ＣＯＭＬは、駆動電極ドライバ１６と接続され、駆動電極ドライバ１６より駆動信号Ｖｃｏｍが供給される。
【００３４】
この構成により、液晶表示デバイス２０では、ゲートドライバ１２が走査信号線ＧＣＬを時分割的に線順次走査するように駆動することにより、１水平ラインが順次選択され、その１水平ラインに属する画素Ｐｉｘに対して、ソースドライバ１３及び選択スイッチ部１４が画素信号Ｖｐｉｘを供給することにより、１水平ラインずつ表示が行われる。
【００３５】
図４は、タッチ検出デバイスの一構成例を示す図である。タッチ検出デバイス３０は、第１電極としての駆動電極ＣＯＭＬ０、ＣＯＭＬ１、・・・、ＣＯＭＬｎと、第２電極としてのタッチ検出電極ＴＤＬ０、ＴＤＬ１、・・・、ＴＤＬｍと、を含んでいる。
【００３６】
駆動電極ＣＯＭＬ０、ＣＯＭＬ１、・・・、ＣＯＭＬｎは、所定方向（本説明では、任意に定めたＸＹ座標のＸ方向）に延在するストライプ状の電極パターンが、所定方向とは直交する方向（本例ではＹ方向）に複数本（ｎ＋１本）配列されている。本実施形態において、駆動電極ＣＯＭＬ０、ＣＯＭＬ１、・・・、ＣＯＭＬｎの数は限定されるものではない。対象物（指又はタッチペン等）の接近又は接触（以下、適宜タッチ動作という）を検出する際には、駆動電極ドライバ１６からそれぞれの駆動電極ＣＯＭＬ０、ＣＯＭＬ１、・・・、ＣＯＭＬｎに、駆動信号Ｖｃｏｍが順次供給される。
【００３７】
駆動信号Ｖｃｏｍは、所定の周期で少なくとも大きさが変動する励起信号であり、タッチ検出デバイス３０への対象物の接近又は接触を検出するための信号である。駆動信号Ｖｃｏｍは、大きさのみならず、方向が変化してもよい。以下において、駆動電極ＣＯＭＬ０、ＣＯＭＬ１、・・・、ＣＯＭＬｎをそれぞれ区別する必要がない場合には、適宜駆動電極ＣＯＭＬというものとする。
【００３８】
タッチ検出電極ＴＤＬ０、ＴＤＬ１、・・・、ＴＤＬｍは、それぞれの駆動電極ＣＯＭＬの延在方向と直交する方向、すなわちＹ方向に延びるストライプ状の電極パターンである。タッチ検出電極ＴＤＬ０、ＴＤＬ１、・・・、ＴＤＬｍは、それぞれの駆動電極ＣＯＭＬと直交する必要はなく、交差していればよい。タッチ検出電極ＴＤＬ０、ＴＤＬ１、・・・、ＴＤＬｍのパターンは、タッチ検出部４０にそれぞれ電気的に接続されている。以下において、タッチ検出電極ＴＤＬ０、ＴＤＬ１、・・・、ＴＤＬｍをそれぞれ区別する必要がない場合には、適宜タッチ検出電極ＴＤＬというものとする。
【００３９】
駆動電極ＣＯＭＬとタッチ検出電極ＴＤＬとが互いに交差した部分（交差部分）ＣＰ０、ＣＰ１、・・・、ＣＰｍは、それぞれ静電容量Ｃｔｒ０、Ｃｔｒ１、・・・、Ｃｔｒｍを生じさせる。交差部分ＣＰ０、ＣＰ１、・・・、ＣＰｍは、１本の駆動電極ＣＯＭＬについてｍ箇所存在するので、静電容量Ｃｔｒ０、Ｃｔｒ１、・・・、Ｃｔｒｍは、１本の駆動電極ＣＯＭＬについてｍ個存在する。以下において、静電容量Ｃｔｒ０、Ｃｔｒ１、・・・、Ｃｔｒｍをそれぞれ区別する必要がない場合には、適宜静電容量Ｃｔｒというものとする。また、交差部分ＣＰ０、ＣＰ１、・・・、ＣＰｍをそれぞれ区別する必要がない場合には、適宜交差部分ＣＰというものとする。
【００４０】
（静電容量式タッチ検出の基本原理）
次に、図５〜図９を参照して、タッチ検出機能付き表示デバイスにおけるタッチ検出の基本原理について説明する。このタッチ検出方式は、静電容量式のタッチセンサとして具現化されるものであり、例えば図５に示したように、誘電体Ｄを挟んで互いに対向配置された一対の電極（駆動電極Ｅ１およびタッチ検出電極Ｅ２）を用い、容量素子を構成する。この構造は、図６に示した等価回路として表される。駆動電極Ｅ１、タッチ検出電極Ｅ２および誘電体Ｄによって、容量素子Ｃ１が構成される。容量素子Ｃ１は、その一端が交流信号源（駆動信号源）Ｓに接続され、他端Ｐは抵抗器Ｒを介して接地されると共に、電圧検出器（タッチ検出回路）ＤＥＴに接続される。交流信号源Ｓから駆動電極Ｅ１（容量素子Ｃ１の一端）に所定の周波数（例えば数ｋＨｚ〜数十ｋＨｚ程度）の交流矩形波Ｓｇ（図５）を供給すると、タッチ検出電極Ｅ２（容量素子Ｃ１の他端Ｐ）に、図９に示したような出力波形（タッチ検出信号Ｖｄｅｔ）が現れる。
【００４１】
指が接触（または近接）していない状態では、図５及び図６に示したように、容量素子Ｃ１に対する充放電に伴って、容量素子Ｃ１の容量値に応じた電流Ｉ０が流れる。このときの容量素子Ｃ１の他端Ｐの電位波形は、例えば図９の波形Ｖ０のようになり、これが電圧検出器ＤＥＴによって検出される。
【００４２】
一方、指が接触（または近接）した状態では、図７及び図８に示したように、指によって形成される容量素子Ｃ２が容量素子Ｃ１に直列に追加された形となる。この状態では、容量素子Ｃ１、Ｃ２に対する充放電に伴って、それぞれ電流Ｉ１、Ｉ２が流れる。このときの容量素子Ｃ１の他端Ｐの電位波形は、例えば図９の波形Ｖ１のようになり、これが電圧検出器ＤＥＴによって検出される。このとき、点Ｐの電位は、容量素子Ｃ１、Ｃ２を流れる電流Ｉ１、Ｉ２の値によって定まる分圧電位となる。このため、波形Ｖ１は、非接触状態での波形Ｖ０よりも小さい値となる。電圧検出器ＤＥＴは、検出した電圧を所定のしきい値電圧Ｖｔｈと比較し、このしきい値電圧以上であれば非接触状態と判断する一方、しきい値電圧未満であれば接触状態と判断する。このようにして、タッチ検出が可能となる。
【００４３】
図１０は、タッチ検出デバイスの一構成例を斜視的に示す図である。タッチ検出デバイス３０は、画素基板２に設けられた駆動電極ＣＯＭＬ及び対向基板３に設けられたタッチ検出電極ＴＤＬにより構成されている。駆動電極ＣＯＭＬは、図１０中の左右方向に延在する帯状の電極パターンを有している。タッチ検出動作を行う際は、後述するように、各電極パターンには、所定の数の駆動電極ＣＯＭＬからなるブロック（後述する駆動電極ブロックＢ）ごとに駆動信号Ｖｃｏｍのパルス信号が順次供給され、時分割的に順次走査駆動が行われる。タッチ検出電極ＴＤＬは、駆動電極ＣＯＭＬの電極パターンの延在方向と直交する方向に延びる帯状の電極パターンを有している。タッチ検出電極ＴＤＬの各電極パターンは、タッチ検出部４０にそれぞれ接続されている。駆動電極ＣＯＭＬとタッチ検出電極ＴＤＬにより互いに交差した電極パターンは、その交差部分に静電容量を形成している。
【００４４】
この構成により、タッチ検出デバイス３０では、駆動電極ドライバ１６が駆動電極ＣＯＭＬに対して駆動信号Ｖｃｏｍを供給することにより、タッチ検出電極ＴＤＬからタッチ検出信号Ｖｄｅｔを出力し、タッチ検出が行われる。つまり、駆動電極ＣＯＭＬは、図５〜図９に示したタッチ検出の基本原理における駆動電極Ｅ１に対応するものであり、タッチ検出電極ＴＤＬは、タッチ検出電極Ｅ２に対応するものであり、タッチ検出デバイス３０はこの基本原理に従ってタッチを検出する。図１０に示したように、互いに交差した電極パターンは、静電容量式タッチセンサをマトリックス状に構成している。よって、タッチ検出デバイス３０のタッチ検出面全体にわたって走査することにより、外部近接物体の接触又は近接が生じた位置の検出も可能となっている。
【００４５】
（全体構成）
再び図１を参照すると、制御部１１は、映像信号Ｖｄｉｓｐに基づいて、ゲートドライバ１２、ソースドライバ１３、駆動信号生成部１５、駆動電極ドライバ１６、及びタッチ検出部４０に対してそれぞれ制御信号を供給し、これらがお互いに同期して動作するように制御する回路である。
【００４６】
ゲートドライバ１２は、制御部１１から供給される制御信号に基づいて、タッチ検出機能付き表示デバイス１０の表示駆動の対象となる１水平ラインを順次選択する機能を有している。具体的には、ゲートドライバ１２は、制御部１１から供給される制御信号に基づいて走査信号Ｖｓｃａｎを生成し、その走査信号Ｖｓｃａｎを、走査信号線ＧＣＬを介して、画素ＰｉｘのＴＦＴ素子Ｔｒのゲートに供給することにより、タッチ検出機能付き表示デバイス１０の液晶表示デバイス２０にマトリックス状に形成されている画素Ｐｉｘのうちの１行（１水平ライン）を表示駆動の対象として順次選択する。
【００４７】
ソースドライバ１３は、制御部１１から供給される映像信号及び制御信号に基づいて、画素信号Ｖｓｉｇを生成し出力するものである。具体的には、ソースドライバ１３は、後述するように、１水平ライン分の映像信号から、タッチ検出機能付き表示デバイス１０の液晶表示デバイス２０の複数（この例では３つ）のサブ画素ＳＰｉｘの画素信号Ｖｐｉｘを時分割多重した画素信号Ｖｓｉｇを生成し、選択スイッチ部１４に供給する。また、ソースドライバ１３は、画素信号Ｖｓｉｇに多重化された画素信号Ｖｐｉｘを分離するために必要なスイッチ制御信号Ｖｓｅｌ（ＶｓｅｌＲ、ＶｓｅｌＧ、ＶｓｅｌＢ）を生成し、画素信号Ｖｓｉｇとともに選択スイッチ部１４に供給する機能も有している。なお、この多重化は、ソースドライバ１３と選択スイッチ部１４との間の配線数を少なくするために行われるものである。
【００４８】
選択スイッチ部１４は、ソースドライバ１３から供給される画素信号Ｖｓｉｇ及びスイッチ制御信号Ｖｓｅｌに基づいて、画素信号Ｖｓｉｇに時分割多重された画素信号Ｖｐｉｘを分離し、タッチ検出機能付き表示デバイス１０の液晶表示デバイス２０に供給する。
【００４９】
図１１は、選択スイッチ部の一構成例を示す図である。選択スイッチ部１４は、複数のスイッチグループ１７を有する。各スイッチグループ１７は、この例では、３つのスイッチＳＷＲ、ＳＷＧ及びＳＷＢを有しており、それぞれの一端は互いに接続されソースドライバ１３から画素信号Ｖｓｉｇが供給され、他端はタッチ検出機能付き表示デバイス１０の液晶表示デバイス２０の画素信号線ＳＧＬを介して、画素Ｐｉｘに係る３つのサブ画素ＳＰｉｘ（Ｒ、Ｇ、Ｂ）にそれぞれ接続されている。この３つのスイッチＳＷＲ、ＳＷＧ及びＳＷＢは、ソースドライバ１３から供給されたスイッチ制御信号Ｖｓｅｌ（ＶｓｅｌＲ、ＶｓｅｌＧ、ＶｓｅｌＢ）によってそれぞれオンオフ制御される。この構成により、選択スイッチ部１４は、スイッチ制御信号Ｖｓｅｌに応じてこの３つのスイッチＳＷＲ、ＳＷＧ及びＳＷＢを時分割的に順次切り替えてオン状態にすることにより、多重化された画素信号Ｖｓｉｇから画素信号Ｖｐｉｘ（ＶｐｉｘＲ、ＶｐｉｘＧ、ＶｐｉｘＢ）を分離するように機能する。そして、選択スイッチ部１４は、これらの画素信号Ｖｐｉｘを、３つのサブ画素ＳＰｉｘにそれぞれ供給する。
【００５０】
駆動信号生成部１５は、制御部１１から供給される制御信号に基づいて、２つの直流駆動信号ＶｃｏｍＤＣ、ＶｃｏｍＨ（ＴＳＶＣＯＭ）を生成し、駆動電極ドライバ１６に供給する。この例では、直流駆動信号ＶｃｏｍＤＣは、電位が０Ｖの直流信号であり、直流駆動信号ＶｃｏｍＨは、０Ｖより高い電位ＶＨの直流信号である。
【００５１】
駆動電極ドライバ１６は、制御部１１から供給される制御信号に基づいて、タッチ検出機能付き表示デバイス１０の駆動電極ＣＯＭＬに駆動信号Ｖｃｏｍを供給する回路である。具体的には、駆動電極ドライバ１６は、表示動作では、駆動電極ＣＯＭＬに対して、直流駆動信号ＶｃｏｍＤＣを供給する。また、駆動電極ドライバ１６は、タッチ検出動作では、直流駆動信号ＶｃｏｍＤＣ、ＶｃｏｍＨからパルス信号を生成し、生成したパルス信号をタッチ検出動作に係る駆動電極ＣＯＭＬに対して供給するとともに、それ以外の駆動電極ＣＯＭＬに対して、直流駆動信号ＶｃｏｍＤＣを供給する。その際、駆動電極ドライバ１６は、後述するように、所定の数の駆動電極ＣＯＭＬからなるブロック（後述する駆動電極ブロックＢ）ごとに駆動電極ＣＯＭＬを駆動する。
【００５２】
タッチ検出部４０は、制御部１１から供給される制御信号と、タッチ検出機能付き表示デバイス１０のタッチ検出デバイス３０から供給されるタッチ検出信号Ｖｄｅｔと、コンデンサＣｒｅｆから供給される出力値（補正出力値）Ｖｒｅｆと、に基づいて、タッチ検出デバイス３０に対するタッチの有無を検出し、タッチがある場合においてタッチ検出領域におけるその座標などを求める回路である。このタッチ検出部４０はＬＰＦ（Low  Pass  Filter）部４２と、Ａ／Ｄ変換部４３と、信号処理部４４と、座標抽出部４５と、検出タイミング制御部４６とを有している。
【００５３】
ＬＰＦ部４２は、タッチ検出デバイス３０から供給されるタッチ検出信号Ｖｄｅｔ及びコンデンサＣｒｅｆから供給される出力値（補正出力値）Ｖｒｅｆに含まれる高い周波数成分（ノイズ成分）を除去し、タッチ成分を取り出してそれぞれ出力する低域通過アナログフィルタである。ＬＰＦ部４２の入力端子のそれぞれと接地との間には、直流電位（例えば０Ｖ）を与えるための抵抗Ｒが接続されている。なお、この抵抗Ｒに代えて、例えばスイッチを設け、所定の時間にこのスイッチをオン状態にすることにより直流電位（０Ｖ）を与えるようにしてもよい。また、ＬＰＦ部４２は、信号増幅機能を備えていても良い。Ａ／Ｄ変換部４３は、駆動信号Ｖｃｏｍのパルス信号に同期したタイミングで、ＬＰＦ部４２から出力されるアナログ信号をそれぞれサンプリングしてディジタル信号に変換する回路である。信号処理部４４は、Ａ／Ｄ変換部４３の出力信号に基づいて、タッチ検出デバイス３０に対するタッチの有無を検出する論理回路である。座標抽出部４５は、信号処理部４４においてタッチ検出がなされたときに、そのタッチパネル座標を求める論理回路である。検出タイミング制御部４６は、これらの回路が同期して動作するように制御する。
【００５４】
図１２〜図１４は、タッチ検出走査を模式的に示す図である。図１２〜図１４では、タッチ検出面が２０個の駆動電極ブロックＢ１〜Ｂ２０により構成される場合の、各駆動電極ブロックＢ１〜Ｂ２０に対する駆動信号Ｖｃｏｍの供給動作を示している。図１２〜図１４において、斜線で示した駆動電極ブロックＢは、直流駆動信号ＶｃｏｍＤＣ、ＶｃｏｍＨから生成されるパルス信号が供給されていることを示し、その他の駆動電極ブロックＢは、直流駆動信号ＶｃｏｍＤＣが供給されていることを示す。
【００５５】
駆動電極ドライバ１６は、駆動電極ＣＯＭＬに対して、駆動電極ブロックＢごとに駆動信号Ｖｃｏｍを供給する。この駆動電極ブロックＢは、例えば、ユーザの指の大きさに対応する幅（例えば５ｍｍ程度）に設定される。駆動電極ドライバ１６は、図１２〜図１４に示したように、タッチ検出動作の対象となる駆動電極ブロックＢを順次選択して、その駆動電極ブロックＢに属する駆動電極ＣＯＭＬに駆動信号Ｖｃｏｍを供給することにより、全ての駆動電極ブロックＢにわたって走査する。なお、この例では、説明の便宜上、駆動電極ブロックＢの個数を２０個としているが、これに限定されるものではない。
【００５６】
図１５は、表示走査及びタッチ検出走査を模式的に示す図である。タッチ検出機能付き表示装置１では、ゲートドライバ１２が走査信号線ＧＣＬを時分割的に線順次走査するように駆動することにより、表示走査Ｓｃａｎｄを行うとともに、駆動電極ドライバ１６が駆動電極ブロックＢを順次選択して駆動することにより、タッチ検出走査Ｓｃａｎｔを行う。この例では、タッチ検出走査Ｓｃａｎｔは、表示走査Ｓｃａｎｄの２倍の走査速度で行われる。このように、タッチ検出機能付き表示装置１では、タッチ検出の走査速度を表示走査よりも速くすることにより、外部近接物体によるタッチにすぐに応答することができ、タッチ検出に対する応答特性を改善することができる。なお、これに限定されるものではなく、例えば、タッチ検出走査Ｓｃａｎｔは、表示走査Ｓｃａｎｄの２倍以上の走査速度で行われるようにしてもよいし、表示走査Ｓｃａｎｄの２倍以下の走査速度で行われるようにしてもよい。
【００５７】
図１６は、駆動信号生成部の一構成例を示す図である。駆動信号生成部１５は、シフトレジスタ１０１と、トランスファーゲート１０２〜１０５と、トランジスタ１０６〜１０９と、スイッチ１１０〜１１３と、を有する。
【００５８】
シフトレジスタ１０１には、クロック（ＣＬＫ）信号が供給され、シフトレジスタ１０１の非反転出力信号ＳＲｏｕｔ及び反転出力信号ｘＳＲｏｕｔは、クロック信号に同期して反転する。非反転出力信号ＳＲｏｕｔ及び反転出力信号ｘＳＲｏｕｔは、トランスファーゲート１０２〜１０５の非反転制御入力端子及び反転制御入力端子にそれぞれ入力される。トランスファーゲート１０２〜１０５は、非反転出力信号ＳＲｏｕｔがハイレベル且つ反転出力信号ｘＳＲｏｕｔがローレベルのときにオン状態になり、非反転出力信号ＳＲｏｕｔがローレベル且つ反転出力信号ｘＳＲｏｕｔがハイレベルのときにオフ状態になる。
【００５９】
トランスファーゲート１０２がオン状態のとき、制御部１１から供給される制御信号ＶＣＯＭＳＥＬ１がトランスファーゲート１０２を通過してスイッチ１１０の制御入力端子に入力される。また、反転出力信号ｘＳＲｏｕｔがトランジスタ１０６のゲートに入力される。トランジスタ１０６のソース〜ドレイン経路は、接地電位とスイッチ１１０の制御入力端子との間に接続されている。つまり、非反転出力信号ＳＲｏｕｔがハイレベル且つ反転出力信号ｘＳＲｏｕｔがローレベル且つ制御信号ＶＣＯＭＳＥＬ１がハイレベルのとき、スイッチ１１０がオン状態となり、タッチ検出機能付き表示装置１の内部又は外部に位置する電源回路から供給される直流電位ＶｃｏｍＤＣ（０Ｖ）が直流駆動信号ＶｃｏｍＨとして出力される。また、非反転出力信号ＳＲｏｕｔがハイレベル且つ反転出力信号ｘＳＲｏｕｔがローレベル且つ制御信号ＶＣＯＭＳＥＬ１がローレベルのとき、又は、反転出力信号ｘＳＲｏｕｔがハイレベルのとき、スイッチ１１０がオフ状態となる。
【００６０】
トランスファーゲート１０３がオン状態のとき、制御部１１から供給される制御信号ＶＣＯＭＳＥＬ２がトランスファーゲート１０３を通過してスイッチ１１１の制御入力端子に入力される。また、反転出力信号ｘＳＲｏｕｔがトランジスタ１０７のゲートに入力される。トランジスタ１０７のソース〜ドレイン経路は、接地電位とスイッチ１１１の制御入力端子との間に接続されている。つまり、非反転出力信号ＳＲｏｕｔがハイレベル且つ反転出力信号ｘＳＲｏｕｔがローレベル且つ制御信号ＶＣＯＭＳＥＬ２がハイレベルのとき、スイッチ１１１がオン状態となり、タッチ検出機能付き表示装置１の内部又は外部に位置する電源回路から供給される直流電位１０Ｖが直流駆動信号ＶｃｏｍＨとして出力される。また、非反転出力信号ＳＲｏｕｔがハイレベル且つ反転出力信号ｘＳＲｏｕｔがローレベル且つ制御信号ＶＣＯＭＳＥＬ２がローレベルのとき、又は、反転出力信号ｘＳＲｏｕｔがハイレベルのとき、スイッチ１１１がオフ状態となる。
【００６１】
トランスファーゲート１０４がオン状態のとき、制御部１１から供給される制御信号ＶＣＯＭＳＥＬ３がトランスファーゲート１０４を通過してスイッチ１１２の制御入力端子に入力される。また、反転出力信号ｘＳＲｏｕｔがトランジスタ１０８のゲートに入力される。トランジスタ１０８のソース〜ドレイン経路は、接地電位とスイッチ１１２の制御入力端子との間に接続されている。つまり、非反転出力信号ＳＲｏｕｔがハイレベル且つ反転出力信号ｘＳＲｏｕｔがローレベル且つ制御信号ＶＣＯＭＳＥＬ３がハイレベルのとき、スイッチ１１２がオン状態となり、タッチ検出機能付き表示装置１の内部又は外部に位置する電源回路から供給される直流電位２．５Ｖが直流駆動信号ＶｃｏｍＨとして出力される。また、非反転出力信号ＳＲｏｕｔがハイレベル且つ反転出力信号ｘＳＲｏｕｔがローレベル且つ制御信号ＶＣＯＭＳＥＬ３がローレベルのとき、又は、反転出力信号ｘＳＲｏｕｔがハイレベルのとき、スイッチ１１２がオフ状態となる。
【００６２】
トランスファーゲート１０５がオン状態のとき、制御部１１から供給される制御信号ＶＣＯＭＳＥＬ４がトランスファーゲート１０５を通過してスイッチ１１３の制御入力端子に入力される。また、反転出力信号ｘＳＲｏｕｔがトランジスタ１０９のゲートに入力される。トランジスタ１０９のソース〜ドレイン経路は、接地電位とスイッチ１１３の制御入力端子との間に接続されている。つまり、非反転出力信号ＳＲｏｕｔがハイレベル且つ反転出力信号ｘＳＲｏｕｔがローレベル且つ制御信号ＶＣＯＭＳＥＬ４がハイレベルのとき、スイッチ１１３がオン状態となり、タッチ検出機能付き表示装置１の内部又は外部に位置する電源回路から供給される直流電位７．５Ｖが直流駆動信号ＶｃｏｍＨとして出力される。また、非反転出力信号ＳＲｏｕｔがハイレベル且つ反転出力信号ｘＳＲｏｕｔがローレベル且つ制御信号ＶＣＯＭＳＥＬ４がローレベルのとき、又は、反転出力信号ｘＳＲｏｕｔがハイレベルのとき、スイッチ１１３がオフ状態となる。
【００６３】
以上の構成により、制御部１１は、制御信号ＶＣＯＭＳＥＬ１〜ＶＣＯＭＳＥＬ４を制御することで、直流電位ＶｃｏｍＤＣ（０Ｖ）、２．５Ｖ、７．５Ｖ又は１０Ｖの直流駆動信号ＶｃｏｍＨを駆動信号生成部１５に出力させることができる。なお、直流電位ＶｃｏｍＤＣ（０Ｖ）、２．５Ｖ、７．５Ｖ又は１０Ｖは電位の例示であり、これに制限されるものではなく、例えば、３．３Ｖ、５Ｖ又は負の電位等であっても良い。また、制御部１１は、０Ｖ〜５Ｖ程度の直流駆動信号ＶｃｏｍＨを駆動信号生成部１５に出力させることで、タッチ検出デバイス３０のタッチ面への物体の接触又は接近を好適に検出することができ、１０Ｖ程度の直流駆動信号ＶｃｏｍＨを駆動信号生成部１５に出力させることで、タッチ検出デバイス３０のタッチ面の上空に物体が位置するいわゆるホバリングを好適に検出することができる。
【００６４】
また、制御部１１は、直流駆動信号ＶｃｏｍＨの立ち上がり時に直流駆動信号ＶｃｏｍＨを目標とする電位に速く到達させて、タッチ検出信号Ｖｄｅｔの立ち上がりを速くしてタッチ検出の応答性を高めるために、直流駆動信号ＶｃｏｍＨの立ち上がり時に、一時的に直流駆動信号ＶｃｏｍＨを目標とする電位より高い電位に制御するオーバードライブ駆動制御を行うようにしても良い。同様に、制御部１１は、直流駆動信号ＶｃｏｍＨの立ち下がり時に直流駆動信号ＶｃｏｍＨを目標とする電位に速く到達させて、タッチ検出信号Ｖｄｅｔの立ち下がりを速くしてタッチ検出の応答性を高めるために、直流駆動信号ＶｃｏｍＨの立ち下がり時に、一時的に直流駆動信号ＶｃｏｍＨを目標とする電位より低い電位に制御するオーバードライブ駆動制御を行うようにしても良い。
【００６５】
図１７は、駆動電極ドライバの一構成例を示す図である。駆動電極ドライバ１６は、走査制御部５１と、タッチ検出走査部５２と、駆動部５３０と、を備えている。駆動部５３０は、２０個の駆動部５３（１）〜５３（２０）を有している。以後、２０個の駆動部５３（１）〜５３（２０）のうちの任意の一つを指す場合には、単に駆動部５３を用いるものとする。
【００６６】
走査制御部５１は、制御部１１より供給される制御信号に基づいて、タッチ検出走査部５２に対して制御信号を供給する。また、走査制御部５１は、直流駆動信号ＶｃｏｍＤＣと直流駆動信号ＶｃｏｍＨのうちのどちらを駆動電極ＣＯＭＬに供給するかを指示するためのＶｃｏｍ選択信号ＶＣＯＭＳＥＬを、駆動部５３０に対して供給する機能も有している。
【００６７】
タッチ検出走査部５２は、シフトレジスタを含んで構成され、直流駆動信号ＶｃｏｍＨを供給する駆動電極ＣＯＭＬを選択するための走査信号Ｓｔを生成する。具体的には、タッチ検出走査部５２は、後述するように、走査制御部５１から供給される制御信号に基づいて、それぞれが各駆動電極ブロックＢに対応する複数の走査信号Ｓｔを生成する。そして、タッチ検出走査部５２が、例えばハイレベルの信号をｋ番目の走査信号Ｓｔ（ｋ）としてｋ番目の駆動部５３（ｋ）に供給した場合に、この駆動部５３（ｋ）は、ｋ番目の駆動電極ブロックＢ（ｋ）に属する複数の駆動電極ＣＯＭＬに直流駆動信号ＶｃｏｍＨを供給する。
【００６８】
駆動部５３０は、タッチ検出走査部５２から供給される走査信号Ｓｔ及び走査駆動部５１から供給されるＶｃｏｍ選択信号ＶＣＯＭＳＥＬに基づいて、駆動信号生成部１５から供給される直流駆動信号ＶｃｏｍＤＣ又は直流駆動信号ＶｃｏｍＨを駆動電極ＣＯＭＬに供給する。駆動部５３は、タッチ検出走査部５２の出力信号に対応して１つずつ設けられており、対応する駆動電極ブロックＢに対して駆動信号Ｖｃｏｍを供給する。
【００６９】
駆動部５３は、論理積回路５４と、インバータ５５と、バッファ５６、５７と、スイッチＳＷ１、ＳＷ２と、を有している。論理積回路５４は、タッチ検出走査部５２から供給される走査信号Ｓｔ及び走査制御部５１から供給されるＶｃｏｍ選択信号ＶＣＯＭＳＥＬの論理積（ＡＮＤ）を生成して出力する。インバータ５５は、論理積回路５４の出力信号の反転論理を生成して出力する。バッファ５６は、論理積回路５４から供給された信号を、スイッチＳＷ１をオンオフ制御することができる振幅レベルに増幅する機能を有している。スイッチＳＷ１は、バッファ５６から供給される信号に基づいてオンオフ制御されるものであり、一端には直流駆動信号ＶｃｏｍＨが供給され、他端は駆動電極ブロックＢを構成する複数の駆動電極ＣＯＭＬに接続されている。バッファ５７は、インバータ５５から供給される信号を、スイッチＳＷ２をオンオフ制御することができる振幅レベルに増幅する機能を有している。スイッチＳＷ２は、バッファ５７から供給される信号に基づいてオンオフ制御されるものであり、一端には直流駆動信号ＶｃｏｍＤＣが供給され、他端はスイッチＳＷ１の他端に接続されている。
【００７０】
この構成により、駆動部５３は、走査信号Ｓｔがハイレベルの場合には、Ｖｃｏｍ選択信号ＶＣＯＭＳＥＬがハイレベルのときに、直流駆動信号ＶｃｏｍＨを駆動信号Ｖｃｏｍとして出力し、Ｖｃｏｍ選択信号ＶＣＯＭＳＥＬがローレベルのときに、直流駆動信号ＶｃｏｍＤＣを駆動信号Ｖｃｏｍとして出力する。また、駆動部５３は、走査信号Ｓｔがローレベルの場合には、直流駆動信号ＶｃｏｍＤＣを駆動信号Ｖｃｏｍとして出力する。そして、駆動部５３は、このようにして出力した駆動信号Ｖｃｏｍを、その駆動部５３に対応する駆動電極ブロックＢを構成する複数の駆動電極ＣＯＭＬに対して供給する。
【００７１】
図１８は、スイッチ回路の一構成例を示す図である。スイッチ回路ＳＷｒｅｆは、インバータ１２１〜１２３と、トランスファーゲート１２４及び１２５と、を有している。インバータ１２１は、駆動電極ドライバ１６内の走査制御部５１（図１７参照）から供給されるＶｃｏｍ選択信号ＶＣＯＭＳＥＬを反転して、トランスファーゲート１２４の反転制御入力端子に出力する。インバータ１２２は、インバータ１２１の出力信号を反転して、トランスファーゲート１２４の非反転制御入力端子に出力する。従って、トランスファーゲート１２４は、Ｖｃｏｍ選択信号ＶＣＯＭＳＥＬがハイレベルのときオン状態になり、Ｖｃｏｍ選択信号ＶＣＯＭＳＥＬがローレベルのときオフ状態になる。トランスファーゲート１２４がオン状態のとき、直流駆動信号ＶｃｏｍＨがトランスファーゲート１２４を通過して、駆動信号ＶｓｗとしてコンデンサＣｒｅｆに出力される。
【００７２】
また、Ｖｃｏｍ選択信号ＶＣＯＭＳＥＬは、トランスファーゲート１２５の反転制御入力端子に入力される。インバータ１２３は、Ｖｃｏｍ選択信号ＶＣＯＭＳＥＬを反転して、トランスファーゲート１２５の非反転制御入力端子に出力する。従って、トランスファーゲート１２５は、Ｖｃｏｍ選択信号ＶＣＯＭＳＥＬがローレベルのときオン状態になり、Ｖｃｏｍ選択信号ＶＣＯＭＳＥＬがハイレベルのときオフ状態になる。トランスファーゲート１２５がオン状態のとき、直流駆動信号ＶｃｏｍＤＣがトランスファーゲート１２５を通過して、駆動信号ＶｓｗとしてコンデンサＣｒｅｆに出力される。
【００７３】
従って、スイッチ回路ＳＷｒｅｆの出力信号である駆動信号Ｖｓｗは、駆動信号Ｖｃｏｍと同位相であり且つ駆動信号Ｖｃｏｍと同期して変化する。
【００７４】
コンデンサＣｒｅｆは、所定の大きさの静電容量を有しており、スイッチ回路ＳＷｒｅｆとタッチ検出部４０との間に配置されている。具体的には、コンデンサＣｒｅｆは、一端がスイッチ回路ＳＷｒｅｆの出力端子と電気的に接続され、他端はタッチ検出部４０が有するＬＰＦ部４２の入力端子と電気的に接続される。コンデンサＣｒｅｆは、スイッチ回路ＳＷｒｅｆからの励起信号、つまり駆動信号Ｖｃｏｍと同位相であり且つ駆動信号Ｖｃｏｍと同期した駆動信号Ｖｓｗが入力される。すなわち、駆動信号Ｖｃｏｍが駆動電極ブロックＢ１に入力されるのと同じタイミングで、駆動信号Ｖｃｏｍと同位相の駆動信号ＶｓｗがコンデンサＣｒｅｆに入力され、次に駆動信号Ｖｃｏｍが駆動電極ブロックＢ２に入力されるのと同じタイミングで、駆動信号Ｖｃｏｍと同位相の駆動信号ＶｓｗがコンデンサＣｒｅｆに入力され、順次駆動電極ブロックＢ２０まで同様に入力されることを繰り返す。コンデンサＣｒｅｆの静電容量の大きさは、例えば、タッチ検出デバイス３０の交差部分ＣＰの静電容量Ｃｔｒと同等とすることができる。
【００７５】
コンデンサＣｒｅｆは、一端にスイッチ回路ＳＷｒｅｆから駆動信号Ｖｓｗが入力されるので、他端には、この駆動信号Ｖｓｗに応じた出力値Ｖｒｅｆを出力する。以下において、このコンデンサＣｒｅｆからの出力値Ｖｒｅｆは、適宜補正出力値Ｖｒｅｆという。
【００７６】
本実施形態において、コンデンサＣｒｅｆは、タッチ検出機能付き表示装置１の対象物を検出する領域、具体的には、駆動電極ＣＯＭＬ及びタッチ検出電極ＴＤＬが配置されている領域とは異なる位置に配置される。例えば、コンデンサＣｒｅｆは、前述したような領域であって、タッチ検出部４０に近接して配置される。本実施形態においては、コンデンサＣｒｅｆは、タッチ検出部４０が実装される基板に実装される。基板は、例えば、ＦＰＣ（Flexible  Print  Circuit）である。
【００７７】
（タッチ検出機能付き表示装置の実装例）
図１９は、タッチ検出機能付き表示装置の実装例を模式的に示す図である。制御部１１、ソースドライバ１３及び駆動信号生成部１５は、画素基板２上にＣＯＧ（Chip  On  Glass）として実装される。選択スイッチ部１４は、ＴＦＴ基板２１上の表示領域Ａｄの近傍に、ＴＦＴ素子を用いて形成される。
【００７８】
ゲートドライバ１２（１２Ａ、１２Ｂ）は、ＴＦＴ基板２１上にＴＦＴ素子を用いて形成される。この例では、ゲートドライバ１２は、画素基板２の図中上側（１２Ａ）と図中下側（１２Ｂ）とに配置され、表示領域Ａｄにマトリックス状に配置された図示しない画素Ｐｉｘを、両側から駆動する。
【００７９】
駆動電極ドライバ１６（１６Ａ、１６Ｂ）は、ＴＦＴ基板２１上にＴＦＴ素子を用いて形成されている。この例では、駆動電極ドライバ１６は、画素基板２の図中上側（１６Ａ）と図中下側（１６Ｂ）とに配置され、駆動信号生成部１５から、太いパターンを有する配線ＬＤＣを介して直流駆動信号ＶｃｏｍＤＣの供給を受けるとともに、同様に太いパターンを有する配線ＬＨを介して直流駆動信号ＶｃｏｍＨの供給を受ける。そして、駆動電極ドライバ１６Ａ、１６Ｂは、並設された複数の駆動電極ブロックＢのそれぞれを、両側から駆動する。
【００８０】
また、タッチ検出部４０は、フレキシブルプリント基板Ｔ上に実装され、並設された複数のタッチ検出電極ＴＤＬのそれぞれと接続されている。
【００８１】
スイッチ回路ＳＷｒｅｆは、ＴＦＴ基板２１上に形成されており、配線ＬＨから分岐した配線ＬＨｂを介して直流駆動信号ＶｃｏｍＨの供給を受け、配線ＬＤＣから分岐した配線ＬＤＣｂを介して直流駆動信号ＶｃｏｍＤＣの供給を受けるとともに、駆動電極ドライバ１６Ｂから配線Ｌｓｅｌを介してＶｃｏｍ選択信号ＶＣＯＭＳＥＬの供給を受ける。コンデンサＣｒｅｆは、フレキシブルプリント基板Ｔのタッチ検出部４０の近傍に配置され、スイッチ回路ＳＷｒｅｆから配線Ｌｒｅｆを介して駆動信号Ｖｓｗの供給を受ける。
【００８２】
［タッチ検出電極からの出力値の補正］
タッチ検出機能付き表示装置１は、駆動信号生成部１５で生成される直流駆動信号ＶｃｏｍＨ及びＶｃｏｍＤＣに基づくタッチ検出用駆動信号Ｖｃｏｍを駆動電極ＣＯＭＬに供給し、タッチ検出電極ＴＤＬからの出力値としてのタッチ検出信号Ｖｄｅｔの変化をタッチ検出部４０が検出することにより、タッチ動作が検出される。このような装置は、電源の変動又は温度変化によって、対象物がタッチ検出機能付き表示装置１に接近していない状態において、タッチ検出信号Ｖｄｅｔに予期しない変動が発生する可能性がある。
【００８３】
従来は、タッチ検出信号Ｖｄｅｔの変動の大きさ及び速度を検出し、解析した後にその結果をタッチ検出部４０へフィードバックしてタッチ検出信号Ｖｄｅｔを補正していたが、この方法ではタッチ検出信号Ｖｄｅｔの補正に遅れ又はズレが発生し、補正の精度が低下する可能性がある。また、対象物の接近又は接触を検出する領域に補正用電極を配置する手法も考えられるが、この手法では対象物が接近したことによるタッチ検出信号Ｖｄｅｔの変動と、その他の要因による変動との区別が困難である。この他、タッチ検出部４０と駆動信号生成部１５とで電源を共通化する手法も考えられるが、このようにしても、トランジスタの温度特性等によるノイズを低減することが困難であったり、また、例えばレイアウト等の問題により電源の共通化が困難であったりすることがある。
【００８４】
これらの問題を解決するため、本実施形態では、駆動信号生成部１５とタッチ検出部４０との間にコンデンサＣｒｅｆを介在させ、コンデンサＣｒｅｆからの出力値（補正出力値Ｖｒｅｆ）及びタッチ検出電極ＴＤＬからの出力値（タッチ検出信号Ｖｄｅｔ）を同一のタイミングで取得し、これらを用いてタッチ検出電極ＴＤＬの出力値を補正する。この場合、補正出力値Ｖｒｅｆ及びタッチ検出信号Ｖｄｅｔは、同一のタッチ検出部４０に入力される。
【００８５】
コンデンサＣｒｅｆからの出力値である補正出力値Ｖｒｅｆの変動は、タッチ検出機能付き表示装置１が有する電源の変動、温度変化及びその他の変動である。これらの変動は、対象物の有無に依存しない変動であり、補正の対象となる予期しない変動の多くを含んでいる。また、コンデンサＣｒｅｆの出力値（補正出力値）Ｖｒｅｆは、タッチ検出機能付き表示装置１での対象物の検出と同時に検出することができる。このため、タッチ検出機能付き表示装置１は、補正出力値Ｖｒｅｆを用いることにより、補正の遅れ又はズレを抑制して、タッチ検出電極ＴＤＬからのタッチ検出信号Ｖｄｅｔを精度よく補正することができる。次に、この補正について、より詳細に説明する。
【００８６】
図２０及び図２１は、タッチ検出電極からの出力値を補正する処理を示す模式図である。図２２は、タッチ検出電極及びコンデンサからの出力値を取得するタイミングを示す図である。図２２は、タッチ検出電極ＴＤＬ０〜ＴＤＬｍからのタッチ検出信号Ｖｄｅｔ１、Ｖｄｅｔ２と、コンデンサＣｒｅｆからの補正出力値Ｖｒｅｆとを示している。タッチ検出信号Ｖｄｅｔ１はタッチ動作を検出していない場合であり、タッチ検出信号Ｖｄｅｔ２はタッチ動作を検出した場合である。図２２の横軸は時間を表し、複数の直線の点線は、このタイミングでΔＴ毎にタッチ検出部４０がデータを取得することを示している。
【００８７】
図２０に示す処理は、タッチ検出機能付き表示装置１、より具体的にはタッチ検出部４０が実行する。図２０に示すように、タッチ検出電極ＴＤＬからの出力値であるタッチ検出信号Ｖｄｅｔと、タッチ動作を検出していないときにおいてタッチ検出電極ＴＤＬから出力される出力値であるタッチ検出信号Ｖｄｅｔ＿ｗｏｔとを加算器Ａｄ１で加算する。本実施形態においては、加算器Ａｄ１は、タッチ検出信号Ｖｄｅｔ＿ｗｏｔと、−１を乗算したタッチ検出信号Ｖｄｅｔ＿ｗｏｔと、を加算するので、結果として両者の差分を出力値Ｖｄｅｆｂとして出力する。タッチ動作を検出していないときのタッチ検出信号Ｖｄｅｔ＿ｗｏｔは、例えば、予め取得された値を、タッチ検出部４０の記憶部に保存したものが用いられる。
【００８８】
加算器Ａｄ２は、加算器Ａｄ１からの出力値Ｖｄｅｔｂと、加算器Ａｄ３からの出力値Ｖｒｅｆｂとを加算する。本実施形態において、加算器Ａｄ２は、出力値Ｖｄｅｔｂと、−１を乗算した出力値Ｖｒｅｆｂと、を加算するので、結果として両者の差分を出力値（補正タッチ検出信号）Ｖｄｅｔｃとして出力する。加算器Ａｄ３からの出力値Ｖｒｅｆｂは、コンデンサＣｒｅｆからの出力値である補正出力値Ｖｒｅｆと、タッチ動作を検出していないときにおいてコンデンサＣｒｅｆから出力された出力値Ｖｒｅｆ＿ｗｏｔとの差分である。本実施形態において、加算器Ａｄ３は、補正出力値Ｖｒｅｆと、−１を乗算した出力値Ｖｒｅｆ＿ｗｏｔと、を加算するので、結果として両者の差分を出力値Ｖｒｅｆｂとして出力する。タッチ検出部４０は、この出力値Ｖｄｅｔｂと所定の閾値電圧Ｖｔｈとを比較し、その結果に応じてタッチ動作の有無を検出する。
【００８９】
次に、図２１に示す処理について説明する。この処理も、タッチ検出機能付き表示装置１、より具体的にはタッチ検出部４０が実行する。図２１に示すように、加算器Ａｄ１は、タッチ検出電極ＴＤＬからの出力値であるタッチ検出信号Ｖｄｅｔと、コンデンサＣｒｅｆからの出力値である補正出力値Ｖｒｅｆと、を加算する。本実施形態においては、加算器Ａｄ１は、タッチ検出信号Ｖｄｅｔと、−１を乗算した補正出力値Ｖｒｅｆと、を加算するので、結果として両者の差分を出力値Ｖｄｅｔｂ’として出力する。
【００９０】
加算器Ａｄ２は、加算器Ａｄ１からの出力値Ｖｄｅｔｂ’と、加算器Ａｄ３からの出力値Ｖｄｅｔ＿ｗｏｔｂ’とを加算する。本実施形態において、加算器Ａｄ２は、出力値Ｖｄｅｔｂ’と、−１を乗算した出力値Ｖｄｅｔ＿ｗｏｔｂ’と、を加算するので、結果として両者の差分を出力値（補正タッチ検出信号）Ｖｄｅｔｃとして出力する。加算器Ａｄ３からの出力値Ｖｄｅｔ＿ｗｏｔｂ’は、タッチ動作を検出していないときにおいて、タッチ検出電極ＴＤＬから出力される出力値であるタッチ検出信号Ｖｄｅｔ＿ｗｏｔと、コンデンサＣｒｅｆから出力される出力値Ｖｒｅｆ＿ｗｏｔと、の差分である。本実施形態において、加算器Ａｄ３は、タッチ検出信号Ｖｄｅｔ＿ｗｏｔと、−１を乗算した出力値Ｖｒｅｆ＿ｗｏｔと、を加算するので、結果として両者の差分を出力値Ｖｄｅｔ＿ｗｏｔｂ’として出力する。
【００９１】
タッチ検出電極ＴＤＬからのタッチ検出信号Ｖｄｅｔは、指等の対象物がタッチ検出機能付き表示装置１に接近又は接触した情報を含んでいる。タッチ検出信号Ｖｄｅｔは、例えば、タッチ検出機能付き表示装置１の電源の変動等によってタッチ検出用駆動信号Ｖｃｏｍの振幅が変化した場合に変化するが、この変化によっては、対象物によるものかノイズによるものかを区別することはできない。これに対し、上述したように、コンデンサＣｒｅｆは、対象物を検出する領域とは異なる領域に配置されているので、対象物を検出する領域に対象物が接近しても、静電容量は変化しない。その結果、図２２に示すように、コンデンサＣｒｅｆからの出力値である補正出力値Ｖｒｅｆは、タッチ検出電極ＴＤＬ０〜ＴＤＬｍからのタッチ検出信号Ｖｄｅｔ１、Ｖｄｅｔ２とは異なり、対象物の接近によっては変化しない。したがって、補正出力値Ｖｒｅｆの変化は、例えば、タッチ検出用駆動信号Ｖｃｏｍの振幅変化等といった、駆動信号生成部１５とタッチ検出部４０との間における両者の特性の変化（ズレ）を表す。
【００９２】
本実施形態では、駆動電極ＣＯＭＬとタッチ検出電極ＴＤＬとが交差する部分と、コンデンサＣｒｅｆとを電気的に同一とし、かつタッチ検出電極ＴＤＬ及びコンデンサＣｒｅｆからの出力を同一のタイミングで取得する。そして、上述したように、タッチ検出電極ＴＤＬからのタッチ検出信号Ｖｄｅｔ（又はこの値からタッチ検出信号Ｖｄｅｔ＿ｗｏｔを減算したもの）から、コンデンサＣｒｅｆからの補正出力値Ｖｒｅｆ又はこれに基づく出力値Ｖｒｅｆｂを差し引く。タッチ検出部４０は、このようにして得られた補正タッチ検出信号Ｖｄｅｔｃを用いることで、タッチ検出信号Ｖｄｅｔに含まれる、駆動信号生成部１５とタッチ検出部４０との特性の変化に起因する変動分を除去することができる。その結果、タッチ検出部４０は、タッチ検出機能付き表示装置１に対するタッチ動作の検出精度の低下、すなわち対象物の検出精度の低下を抑制して、タッチ動作をより確実に検出することができる。
【００９３】
図２３は、タッチ検出電極からの出力値を補正しない場合におけるタッチ検出信号の一例を示す図である。図２４は、タッチ検出電極からの出力値を補正した場合におけるタッチ検出信号の一例を示す図である。図２３及び図２４の横軸は、図４に示すそれぞれの駆動電極ＣＯＭＬ０、ＣＯＭＬ１、・・・に対応し、縦軸は、タッチ検出電極ＴＤＬ及びコンデンサＣｒｅｆからの出力値Ｖｏである。また、図２３の実線は、補正出力値Ｖｒｅｆと出力値Ｖｒｅｆ＿ｗｏｔとの差分である出力値Ｖｒｅｆｂである。図２３に示す点線は、タッチ検出電極ＴＤＬ４からのタッチ検出信号Ｖｄｅｔとタッチ検出信号Ｖｄｅｔ＿ｗｏｔとの差分である出力値Ｖｄｅｔｂである。図２３に示す一点鎖線は、タッチ検出電極ＴＤＬ５からのタッチ検出信号Ｖｄｅｔとタッチ検出信号Ｖｄｅｔ＿ｗｏｔとの差分である出力値Ｖｄｅｔｂである。図２４に示す点線は、タッチ検出電極ＴＤＬ４について、加算器Ａｄ１からの出力値ＶｄｅｔｂからＶｒｅｆｂを減算して得られた、加算器Ａｄ２からの補正タッチ検出信号Ｖｄｅｔｃである。図２４に示す一点鎖線は、タッチ検出電極ＴＤＬ５について、加算器Ａｄ１からの出力値ＶｄｅｔｂからＶｒｅｆｂを減算して得られた、加算器Ａｄ２からの補正タッチ検出信号Ｖｄｅｔｃである。図２４の実線は、図２３の実線で示す出力値ＶｒｅｆｂからＶｒｅｆｂを減算して得られた値であり、理論上０になる。
【００９４】
タッチ検出電極ＴＤＬからのタッチ検出信号Ｖｄｅｔを補正しない場合、図２３に示すように、タッチ検出信号Ｖｄｅｔに、タッチによるものではない装置内部のノイズ又は外部ノイズの影響が表れ、場合によっては、タッチ検出部４０が対象物を誤検出、すなわちタッチ動作を誤検出することがある。タッチ検出電極ＴＤＬからのタッチ検出信号ＶｄｅｔをコンデンサＣｒｅｆからの補正出力値Ｖｒｅｆで補正すると、図２４に示すように、タッチ検出信号Ｖｄｅｔからこれらのノイズの影響を低減でき、その結果、タッチ検出部４０によるタッチ動作の検出精度が向上する。
【００９５】
図２５は、タッチ検出電極からの出力値を補正するタイミングを説明するための図である。図２６は、補正タッチ検出信号を示す図である。図２５及び図２６の横軸は時間Ｔであり、図２５の縦軸は、タッチ検出電極ＴＤＬ、コンデンサＣｒｅｆからの出力値及びノイズ（Ｎｏｉｓｅ）に対応する値Ｖｏである。図２６の縦軸は、補正タッチ検出信号Ｖｄｅｔｃである。補正のタイミングは、二通りの方法が考えられる。第１の方法は、図２５に示す例において、例えば、時間Ｔｓ〜時間Ｔ１までの間において補正出力値Ｖｒｅｆが取得され、時間Ｔ１〜時間Ｔ２までの間においてタッチ検出信号Ｖｄｅｔが取得され、補正される。すなわち、タッチ検出信号Ｖｄｅｔは、これとは異なるタイミングで取得された補正出力値Ｖｒｅｆによって補正されることになる。第２の方法は、図２５に示す例において、時間Ｔｓ〜時間Ｔ１までの間において補正出力値Ｖｒｅｆ及びタッチ検出信号Ｖｄｅｔが取得され、補正される。すなわち、タッチ検出信号Ｖｄｅｔは、これと同一のタイミングで取得された補正出力値Ｖｒｅｆによって補正される。
【００９６】
図２５に示すように、時間が異なればノイズ状況も異なる。このため、上述した第１の方法のように、異なるタイミングで取得されたタッチ検出信号Ｖｄｅｔと補正出力値Ｖｒｅｆとを用いると、ノイズの影響を排除することはできず、結果としてタッチ検出部４０による対象物の接近又は接触の検出精度が低下する。駆動信号生成部１５から、それぞれの駆動電極ＣＯＭＬ０、ＣＯＭＬ１、・・・、ＣＯＭＬｎに、タッチ検出用駆動信号Ｖｃｏｍが順次供給された後にタッチ検出信号Ｖｄｅｔを補正すると、上述した理由から、例えば、図２６に示す補正タッチ検出信号Ｖｄｅｔｃ１のように、ノイズの影響を排除することができないため、タッチ検出部４０による対象物の接近又は接触の検出精度が低下する。
【００９７】
本実施形態では、上述した第２の方法を用いる。第２の方法は、図２２に示すように、コンデンサＣｒｅｆからの補正出力値Ｖｒｅｆとタッチ検出電極ＴＤＬ０〜ＴＤＬｍからのタッチ検出信号Ｖｄｅｔとが、同一のタイミングで取得される。そして、タッチ検出信号Ｖｄｅｔは、これと同一のタイミングで取得された補正出力値Ｖｒｅｆによって、リアルタイムに即時に補正される。図２５に示す例では、例えば、時間Ｔｓ〜時間Ｔ１までの間において、タッチ検出信号Ｖｄｅｔがこれと同一のタイミングで取得された補正出力値Ｖｒｅｆによって補正されている。このように、タッチ検出信号Ｖｄｅｔ及び補正出力値Ｖｒｅｆは、同一のノイズから影響を受けているため、まったく同一の形状になる。このため、同一のタイミングで取得されたタッチ検出信号Ｖｄｅｔと補正出力値Ｖｒｅｆとを用いることにより、タッチ検出部４０は、図２６に示す補正タッチ検出信号Ｖｄｅｔｃ２のように、ノイズの影響を排除して、対象物の接近又は接触の検出精度の低下を抑制して、タッチ動作をより確実に検出することができる。
【００９８】
上述したように、タッチ検出機能付き表示装置１が有する電源の変動又は温度変化によって、対象物がタッチ検出機能付き表示装置１に接近していない状態において、タッチ検出信号Ｖｄｅｔに予期しない変動が発生する結果、タッチ動作が誤検出される可能性がある。これは、タッチ検出部４０と駆動信号生成部１５とで電源及び接地（グランド）が異なることに起因するノイズの影響が大きい。このため、本実施形態に係るタッチ検出信号Ｖｄｅｔの補正は、タッチ検出部４０と駆動信号生成部１５とが、別個の電子部品として分離され、さらに、電源及び接地が異なっている場合に特に好適である。電子部品の例としては、例えば、ＩＣ又はＩＣパッケージが挙げられる。このように、本実施形態に係るタッチ検出信号Ｖｄｅｔの補正は、電源及び接地が異なっていてもよいので、タッチ検出機能付き表示装置１のレイアウトの自由度が向上する。例えば、タッチ検出用の駆動電極と表示装置用の共通電極とを兼用したタッチパネル等においては、レイアウト上、タッチ検出部と駆動部との電気特性及び温度特性を等しくすることが困難な場合がある。このため、これに本実施形態を適応すればノイズ耐性を著しく向上させることができ、結果としてタッチ検出精度が著しく向上する。
【００９９】
また、温度の影響によってもタッチ検出信号Ｖｄｅｔに予期しない変動が発生する可能性がある。このため、タッチ検出部４０と駆動信号生成部１５とが同一のＩＣ等で実現され、電源及び接地を共通化できる場合であっても、温度の影響を低減して、タッチ検出信号Ｖｄｅｔを精度よく補正することができる。このように、本実施形態に係るタッチ検出信号Ｖｄｅｔの補正は、タッチ検出部４０と駆動信号生成部１５とが同一のＩＣ等で実現される場合にも好適である。
【０１００】
また、本実施形態においては、タッチ検出電極ＴＤＬを介さずに、外付けの部品であるコンデンサＣｒｅｆを補正用の素子として用い、これをタッチ検出電極ＴＤＬ及び駆動電極ＣＯＭＬとは異なる位置に配置する。このような構造により、対象物が接近したことによるタッチ検出信号Ｖｄｅｔの変動と、その他の要因による変動との区別をすることができる。また、比較的安定した環境下でコンデンサＣｒｅｆを用いることができるので、安定してタッチ検出信号Ｖｄｅｔを補正して、対象物の接近又は接触を検出する際の精度低下を抑制して、タッチ動作をより確実に検出することができる。次に、タッチ検出信号Ｖｄｅｔを補正出力値Ｖｒｅｆで補正するために用いる補正用の回路の例を説明する。
【０１０１】
［補正用の回路の例］
図２７〜図３０は、補正用の回路の例を示す図である。図３１は、図３０に示す補正用の回路のタイミングチャートである。図３１の横軸は時間Ｔである。次においては、図２７に示す第１の回路例、図２８に示す第２の回路例、図２９に示す第３の回路例、図３０に示す第４の回路例の順に説明する。次の例に係る回路は、タッチ検出部４０の一部、例えば、ＬＰＦ部４２、Ａ／Ｄ変換部４３、信号処理部４４等を含んでもよい。
【０１０２】
（第１の回路例）
図２７に示す補正用の回路（補正回路）１５０は、図２０に示す補正の処理を実現する一例である。補正回路１５０は、タッチ検出電極ＴＤＬ０、・・・、ＴＤＬｍと、駆動電極ＣＯＭＬ０、ＣＯＭＬ１、・・・、ＣＯＭＬｎとが交差する部分に、それぞれ静電容量Ｃｔｒ００、・・・Ｃｔｒ０ｎ、・・・、Ｃｔｒｍ０、・・・、Ｃｔｒｍｎが形成されている。補正回路１５０では、駆動信号生成部１５から駆動電極ドライバ１６を介してそれぞれの駆動電極ＣＯＭＬ０、ＣＯＭＬ１、・・・、ＣＯＭＬｎにタッチ検出用駆動信号Ｖｃｏｍが入力される。符号ＴＤＬ、ＣＯＭＬ、Ｃｔｒに付したｍ、ｎは０以上の整数であり、ｍ＋１はタッチ検出電極ＴＤＬの数を、ｎ＋１は駆動電極ＣＯＭＬの数を表す（以下同様）。
【０１０３】
タッチ検出電極ＴＤＬ０、・・・、ＴＤＬｍからの出力値は、信号増幅器ＣＩ０、・・・、ＣＩｍに入力される。補正回路１５０では、駆動信号生成部１５からスイッチ回路ＳＷｒｅｆを介してコンデンサＣｒｅｆに駆動信号Ｖｓｗが入力される。コンデンサＣｒｅｆからの出力値Ｖｒｅｆは、信号増幅器ＣＩｒｅｆに入力される。信号増幅器ＣＩ０、・・・、ＣＩｍ、ＣＩｒｅｆ（ＬＰＦ部４２に相当する）の出力は、サンプルホールド回路ＳＨ０、・・・、ＳＨｍ、ＳＨｒｅｆに入力された後、サンプルホールド回路ＳＨ０、・・・、ＳＨｍ、ＳＨｒｅｆからマルチプレクサ１５１を介してＡＤＣ（Analog  Digital  Converter）４３Ｃに入力される。ＡＤＣ４３Ｃは、タッチ検出部４０のＡ／Ｄ変換部４３に相当する。信号増幅器ＣＩ０、・・・、ＣＩｍ、ＣＩｒｅｆは、例えば、オペアンプとコンデンサとが組み合わされた積分回路である。
【０１０４】
補正回路１５０において、駆動電極ドライバ１６は、複数の駆動電極ＣＯＭＬ０、ＣＯＭＬ１、・・・、ＣＯＭＬｎを順次切り替える。実際には、駆動電極ドライバ１６は、図１７で説明したように、駆動電極ブロックＢ単位で順次切り替える。マルチプレクサ１５１は、複数のタッチ検出電極ＴＤＬ０、・・・、ＴＤＬｍを順次切り替える。例えば、駆動電極ドライバ１６によって駆動電極ＣＯＭＬ０が選択された場合、それぞれのタッチ検出電極ＴＤＬ０、・・・、ＴＤＬｍからのタッチ検出信号Ｖｄｅｔは、信号増幅器ＣＩ０、・・・、ＣＩｍで増幅されてからサンプルホールド回路ＳＨ０、・・・、ＳＨｍに入力される。また、コンデンサＣｒｅｆからの出力値である補正出力値Ｖｒｅｆは、信号増幅器ＣＩｒｅｆで増幅されてからサンプルホールド回路ＳＨｒｅｆに入力される。
【０１０５】
次に、マルチプレクサ１５１は、サンプルホールド回路ＳＨ０、・・・、ＳＨｍ、ＳＨｒｅｆを順次切り替えて、それぞれの出力をＡＤＣ４３Ｃに出力する。ＡＤＣ４３Ｃの出力を取得した信号処理部４４は、それぞれのサンプルホールド回路ＳＨ０、・・・、ＳＨｍの出力（タッチ検出信号Ｖｄｅｔに相当する）とサンプルホールド回路ＳＨｒｅｆの出力（補正出力値Ｖｒｅｆに相当する）との差分を求める。それぞれのサンプルホールド回路ＳＨ０、・・・、ＳＨｍの出力は、タッチ検出信号Ｖｄｅｔに相当し、サンプルホールド回路ＳＨｒｅｆの出力は補正出力値Ｖｒｅｆに相当するので、これらの差分は、補正タッチ検出信号Ｖｄｅｔｃとなる。駆動電極ＣＯＭＬ０について補正タッチ検出信号Ｖｄｅｔｃが得られたら、駆動電極ドライバ１６は、駆動電極ＣＯＭＬ１〜ＣＯＭＬｎまで順次切り替える。実際には、駆動電極ドライバ１６は、図１７で説明したように、駆動電極ブロックＢ単位で順次切り替える。駆動電極ドライバ１６及び信号処理部４４は、駆動電極ＣＯＭＬ１〜ＣＯＭＬｎに対しても駆動電極ＣＯＭＬ０と同様に、タッチ検出電極ＴＤＬ０、・・・、ＴＤＬｍに対応する補正タッチ検出信号Ｖｄｅｔｃを得る。このようにすることで、タッチ検出部４０は、すべてのタッチ検出電極ＴＤＬに対応した補正タッチ検出信号Ｖｄｅｔｃを取得できるので、ノイズの影響を排除して、対象物の接近又は接触を検出する際の精度低下を抑制して、タッチ動作をより確実に検出することができる。
【０１０６】
補正回路１５０がマルチプレクサ１５１を有さない場合、ＡＤＣ４３Ｃは、タッチ検出電極ＴＤＬ０、・・・、ＴＤＬｍの数に、コンデンサＣｒｅｆの配線Ｒｘｒｅｆの数を加算した数、すなわち、ｍ＋２個備えられる（以下の例でも同様）。
【０１０７】
（第２の回路例）
図２８に示す補正回路１５０Ａは、図２１に示す補正の処理を実現する一例である。補正回路１５０Ａは、それぞれのタッチ検出電極ＴＤＬ０、・・・、ＴＤＬｍに対してコンデンサＣｒｅｆを備えている。すなわち、補正回路１５０Ａは、（ｍ＋１）個のコンデンサＣｒｅｆ０、・・・、Ｃｒｅｆｍを備えている。スイッチ回路ＳＷｒｅｆからの駆動信号Ｖｓｗは、インバータ１５２によって反転されてから、それぞれのコンデンサＣｒｅｆ０、・・・、Ｃｒｅｆｍに入力される。反転後の駆動信号は、ｘＶｓｗである。
【０１０８】
タッチ検出電極ＴＤＬ０、・・・、ＴＤＬｍからの出力値であるタッチ検出信号Ｖｄｅｔと、コンデンサＣｒｅｆ０、・・・、Ｃｒｅｆｍからの出力値である補正出力値Ｖｒｅｆとの和が、タッチ検出電極ＴＤＬからの出力値の補正値である補正タッチ検出信号Ｖｄｅｔｃとなる。このようにすると、タッチ検出信号Ｖｄｅｔから補正出力値Ｖｒｅｆを減算した補正タッチ検出信号Ｖｄｅｔｃを、それぞれのタッチ検出電極ＴＤＬ０、・・・、ＴＤＬｍから得ることができる。
【０１０９】
それぞれのタッチ検出電極ＴＤＬ０、・・・、ＴＤＬｍからの補正タッチ検出信号Ｖｄｅｔｃは、信号増幅器ＣＩ０、・・・、ＣＩｍ（ＬＰＦ部４２Ａに相当する）で増幅されてからマルチプレクサ１５１に入力される。マルチプレクサ１５１は、タッチ検出電極ＴＤＬ０、・・・、ＴＤＬｍを順次切り替えることにより、増幅後の補正タッチ検出信号Ｖｄｅｔｃを、ＡＤＣ４３Ｃを介して信号処理部４４に出力する。このような補正回路１５０Ａにより、タッチ検出部４０は、すべてのタッチ検出電極ＴＤＬに対応した補正タッチ検出信号Ｖｄｅｔｃを取得できるので、ノイズの影響を排除して、対象物の接近又は接触を検出する際の精度低下を抑制して、タッチ動作をより確実に検出することができる。
【０１１０】
（第３の回路例）
図２９に示す補正回路１５０Ｂは、図２８に示す補正回路１５０Ａと同様であるが、コンデンサＣｒｅｆに入力される、反転されたタッチ検出用駆動信号ｘＶｓｗを生成する手法が異なる。駆動信号生成部１５ａは、直流駆動信号ＶｃｏｍＨを生成する第１駆動部１５ｆと、第１駆動部１５ｆが生成した直流駆動信号ＶｃｏｍＨの位相を１８０度反転させる回路としての第２駆動部１５ｓを有している。第１駆動部１５ｆと第２駆動部１５ｓとは、例えば、オペアンプを利用した回路であり、Ｈ（ハイ）信号とＬ（ロー）信号とをそれぞれ反対に入力する。このようにしてクロック信号ＣＬＫを第１駆動部１５ｆと第２駆動部１５ｓとに与えると、直流駆動信号ＶｃｏｍＨと、この位相が１８０度反転された反転直流駆動信号ｘＶｃｏｍＨが得られる。このようにすることで、タッチ検出信号Ｖｄｅｔから補正出力値Ｖｒｅｆを減算した補正タッチ検出信号Ｖｄｅｔｃを得ることができる。ＬＰＦ部４２Ａ、ＡＤＣ４３Ｃ及びその他の構造は補正回路１５０Ａと同様なので、説明を省略する。
【０１１１】
（第４の回路例）
図３０に示す補正回路１５０Ｃは、ホールド回路を用いてタッチ検出信号Ｖｄｅｔを補正する。補正回路１５０Ｃにおいて、駆動電極ＣＯＭＬ０、ＣＯＭＬ１、・・・、ＣＯＭＬｎには駆動電極ドライバ１６からのタッチ検出用駆動信号Ｖｃｏｍが、コンデンサＣｒｅｆにはスイッチ回路ＳＷｒｅｆからの駆動信号Ｖｓｗが、同位相且つ同期して入力される。コンデンサＣｒｅｆに蓄えられた電荷と、タッチ検出電極ＴＤＬからの電荷とをそれぞれ第１蓄電器１５７＿０、１５７＿１、・・・、１５７＿ｍと、第２蓄電器１５８＿０、１５８＿１、・・・、１５８＿ｍとに一時的に蓄電する。その後、コンデンサＣｒｅｆに蓄えられた電荷と、タッチ検出電極ＴＤＬからの電荷との差分を求め、得られた差分をタッチ検出電極ＴＤＬからの出力値の補正値である補正タッチ検出信号Ｖｄｅｔｃとする。本実施形態において、第１蓄電器１５７＿０、１５７＿１、・・・、１５７＿ｍ及び第２蓄電器１５８＿０、１５８＿１、・・・、１５８＿ｍは、いずれもコンデンサであるが、蓄電の機能を有していれば、これに限定されるものではない。また、本実施形態においては、第１蓄電器１５７＿０、１５７＿１、・・・、１５７＿ｍと第２蓄電器１５８＿０、１５８＿１、・・・、１５８＿ｍとの静電容量は等しくしてある。
【０１１２】
ＬＰＦ部４２Ｃは、それぞれのタッチ検出電極ＴＤＬ０、ＴＤＬ１、・・・、ＴＤＬｍに対応した信号増幅器ＣＩ０、・・・、ＣＩｍを備えている。それぞれの信号増幅器ＣＩ０、・・・、ＣＩｍは、例えば、オペアンプとコンデンサとを含む積分回路を備える。コンデンサＣｒｅｆの出力である補正出力値Ｖｒｅｆは、信号増幅器ＣＩｒｅｆに入力される。信号増幅器ＣＩ０、・・・、ＣＩｍ、ＣＩｒｅｆは、ＬＰＦ部４２Ｃに相当する。
【０１１３】
信号増幅器ＣＩ０、・・・、ＣＩｍの出力部には、第１スイッチＳＷ１＿０、ＳＷ１＿１、・・・、ＳＷ１＿ｍが電気的に接続されている。また、第１スイッチＳＷ１＿０、ＳＷ１＿１、・・・、ＳＷ１＿ｍは、それぞれサンプルホールド回路ＳＨ０、・・・、ＳＨｍの入力部と電気的に接続されている。すなわち、信号増幅器ＣＩ０、・・・、ＣＩｍは、第１スイッチＳＷ１＿０、ＳＷ１＿１、・・・、ＳＷ１＿ｍを介してサンプルホールド回路ＳＨ０、・・・、ＳＨｍと電気的に接続されている。
【０１１４】
コンデンサＣｒｅｆの出力である補正出力値Ｖｒｅｆが入力される信号増幅器ＣＩｒｅｆの出力部には、第２スイッチＳＷ２＿０、ＳＷ２＿１、・・・、ＳＷ２＿ｍが電気的にかつ並列に接続されている。また、それぞれの第２スイッチＳＷ２＿０、ＳＷ２＿１、・・・、ＳＷ２＿ｍは、第２蓄電器１５８＿０、１５８＿１、・・・、１５８＿ｍを介して、第１スイッチＳＷ１＿０、ＳＷ１＿１、・・・、ＳＷ１＿ｍとサンプルホールド回路ＳＨ０、・・・、ＳＨｍとの間に電気的に接続されている。
【０１１５】
第２スイッチＳＷ２＿０、ＳＷ２＿１、・・・、ＳＷ２＿ｍと第２蓄電器１５８＿０、１５８＿１、・・・、１５８＿ｍとの間は、第３スイッチＳＷ３＿０、ＳＷ３＿１、・・・、ＳＷ３＿ｍを介して接地されている。また、第２蓄電器１５８＿０、１５８＿１、・・・、１５８＿ｍとサンプルホールド回路ＳＨ０、・・・、ＳＨｍとの間は、第４スイッチＳＷ４＿０、ＳＷ４＿１、・・・、ＳＷ４＿ｍを介して接地されている。さらに、第１スイッチＳＷ１＿０、ＳＷ１＿１、・・・、ＳＷ１＿ｍと第２蓄電器１５８＿０、１５８＿１、・・・、１５８＿ｍとの間は、第１蓄電器１５７＿０、１５７＿１、・・・、１５７＿ｍを介して接地されている。次に、補正回路１５０Ｃの動作について、図３１を参照しつつ説明する。
【０１１６】
補正回路１５０Ｃにおいて、第３スイッチＳＷ３＿０、ＳＷ３＿１、・・・、ＳＷ３＿ｍがオンになると、補正出力値Ｖｒｅｆによってタッチ検出信号Ｖｄｅｔが補正される。また、図３０に示すように、第４スイッチＳＷ４＿０、ＳＷ４＿１、・・・、ＳＷ４＿ｍがオンになると、第１蓄電器１５７＿０、１５７＿１、・・・、１５７＿ｍ及び第２蓄電器１５８＿０、１５８＿１、・・・、１５８＿ｍに蓄えられている電荷は接地側に流れるので、これらの電荷は０になる。すなわち、第４スイッチＳＷ４＿０、ＳＷ４＿１、・・・、ＳＷ４＿ｍがオンになると、補正回路１５０Ｃがリセットされる。
【０１１７】
駆動電極ドライバ１６から駆動電極ＣＯＭＬ０、ＣＯＭＬ１、・・・、ＣＯＭＬｎに入力されるタッチ検出用駆動信号Ｖｃｏｍは、図３１に示すように、所定の周期でＨ（ハイ）の状態とＬ（ロー）の状態とが繰り返される。時間Ｔ＝Ｔ１〜Ｔ２のとき、第４スイッチＳＷ４＿０、ＳＷ４＿１、・・・、ＳＷ４＿ｍがオンとなっているので、補正回路１５０Ｃはリセット状態である。時間Ｔ＝Ｔ２のとき、第４スイッチＳＷ４＿０、ＳＷ４＿１、・・・、ＳＷ４＿ｍ及び第３スイッチＳＷ３＿０、ＳＷ３＿１、・・・、ＳＷ３＿ｍがオフになる。この状態で、第１スイッチＳＷ１＿０、ＳＷ１＿１、・・・、ＳＷ１＿ｍ及び第２スイッチＳＷ２＿０、ＳＷ２＿１、・・・ＳＷ２＿ｍが同時にオンになると、第１蓄電器１５７＿０、１５７＿１、・・・、１５７＿ｍ及び第２蓄電器１５８＿０、１５８＿１、・・・、１５８＿ｍへの充電が開始される。このとき、第１蓄電器１５７＿０、１５７＿１、・・・、１５７＿ｍには、タッチ出力電極ＴＤＬ０、ＴＤＬ１、・・・、ＴＤＬｍから出力され、信号増幅器ＣＩ０、・・・、ＣＩｍで処理されたタッチ検出信号Ｖｄｅｔの電圧及び第１蓄電器１５７＿０、１５７＿１、・・・、１５７＿ｍの静電容量に応じた電荷が蓄電される。また、第２蓄電器１５８＿０、１５８＿１、・・・、１５８＿ｍには、コンデンサＣｒｅｆから出力され、信号増幅器ＣＩｒｅｆで処理された補正出力値Ｖｒｅｆの電圧及び第２蓄電器１５８＿０、１５８＿１、・・・、１５８＿ｍの静電容量に応じた電荷が蓄電される。
【０１１８】
時間Ｔ＝Ｔ３で第１スイッチＳＷ１＿０、ＳＷ１＿１、・・・、ＳＷ１＿ｍ及び第２スイッチＳＷ２＿０、ＳＷ２＿１、・・・、ＳＷ２＿ｍが同時にオフになるので、第１蓄電器１５７＿０、１５７＿１、・・・、１５７＿ｍ及び第２蓄電器１５８＿０、１５８＿１、・・・、１５８＿ｍへの充電は終了する。次に、時間Ｔ＝Ｔ４で、第３スイッチＳＷ３＿０、ＳＷ３＿１、・・・、ＳＷ３＿ｍがオンになる。すると、第２蓄電器１５８＿０、１５８＿１、・・・、１５８＿ｍに蓄えられた電荷の一部が第３スイッチＳＷ３＿０、ＳＷ３＿１、・・・、ＳＷ３＿ｍを通って接地側に流れる。その結果、第１蓄電器１５７＿０、１５７＿１、・・・、１５７＿ｍに蓄えられた電荷と第２蓄電器１５８＿０、１５８＿１、・・・、１５８＿ｍに蓄えられた電荷との差分に相当する電圧が、サンプルホールド回路ＳＨ０、・・・、ＳＨｍの入力部に供給される。このように、補正回路１５０Ｃは、タッチ検出電極ＴＤＬからのタッチ検出信号Ｖｄｅｔを、同一のタイミングで取得したコンデンサＣｒｅｆからの補正出力値Ｖｒｅｆで補正することができる。より具体的には、補正回路１５０Ｃは、タッチ検出信号Ｖｄｅｔと補正出力値Ｖｒｅｆとの差分に相当する補正タッチ検出信号Ｖｄｅｔｃを得ることができる。サンプルホールド回路ＳＨ０、・・・、ＳＨｍには、補正タッチ検出信号Ｖｄｅｔｃが入力される。この補正タッチ検出信号Ｖｄｅｔｃは、マルチプレクサ１５１によって順次ＡＤＣ４３Ｃを介して信号処理部４４に出力される。
【０１１９】
時間Ｔ＝Ｔ５で第４スイッチＳＷ４＿０、ＳＷ４＿１、・・・、ＳＷ４＿ｍがオンになるので、補正回路１５０Ｃはリセットされる。時間Ｔ＝Ｔ６で、第３スイッチＳＷ３＿０、ＳＷ３＿１、・・・、ＳＷ３＿ｍ及び第４スイッチＳＷ４＿０、ＳＷ４＿１、・・・、ＳＷ４＿ｍがオフになり、再び第１蓄電器１５７＿０、１５７＿１、・・・、１５７＿ｍ及び第２蓄電器１５８＿０、１５８＿１、・・・、１５８＿ｍへの充電の準備が完了する。以後、充電、補正、リセットが繰り返される。
【０１２０】
補正回路１５０Ｃは、第１蓄電器１５７＿０、１５７＿１、・・・、１５７＿ｍ及び第２蓄電器１５８＿０、１５８＿１、・・・、１５８＿ｍを用いた電荷のホールド回路により、タッチ検出電極ＴＤＬからのタッチ検出信号Ｖｄｅｔを補正する。このような回路構成により、補正回路１５０Ｃは、コンデンサＣｒｅｆが１個で済むという利点がある。
【０１２１】
４例の補正回路１５０、１５０Ａ、１５０Ｂ、１５０Ｃを説明したが、本実施形態における補正回路はこれらに限定されるものではない。例えば、タッチ検出部４０は、タッチ検出信号Ｖｄｅｔ及び補正出力値ＶｒｅｆをＡＤＣ４３Ｃによってディジタル変換した後のディジタル値を用いて算術処理し、補正タッチ検出信号Ｖｄｅｔｃを求めてもよい。
【０１２２】
［コンデンサの配置について］
上述したように、コンデンサＣｒｅｆは、タッチ検出機能付き表示装置１の対象物を検出する領域、具体的には、駆動電極ＣＯＭＬ及びタッチ検出電極ＴＤＬが配置されている領域とは異なる位置に配置される。このようにすれば、タッチ検出電極ＴＤＬに指等の対象物が接近することに起因するコンデンサＣｒｅｆの静電容量の変化が抑制される。その結果、タッチ検出信号Ｖｄｅｔが補正される際の精度が向上する。
【０１２３】
また、コンデンサＣｒｅｆは、タッチ検出部４０に近接して配置されることが好ましい。このようにすることで、タッチ検出機能付き表示装置１の外部からのノイズの影響を極力抑えることができる。なお、ＩＣ又は複数の電子部品を集積した電子部品集合体等によってタッチ検出部４０を実現する場合、コンデンサＣｒｅｆは、タッチ検出部４０の内部に配置されてもよい。このようにすることで、タッチ検出機能付き表示装置１の外部からのノイズの影響を極力抑えることができる。
【０１２４】
コンデンサＣｒｅｆは、タッチ検出部４０が実装される基板に実装されてもよい。このようにすることで、タッチ検出部４０とコンデンサＣｒｅｆとを接続する配線の取り回しが容易になる。
【０１２５】
コンデンサＣｒｅｆと駆動信号生成部１５とを電気的に接続する配線は、コンデンサＣｒｅｆとタッチ検出部４０とを電気的に接続する配線よりも長いことが好ましい。これは、駆動信号生成部１５は低インピーダンスであるため、タッチ検出機能付き表示装置１の外部からのノイズによる影響が比較的小さいからである。このため、コンデンサＣｒｅｆと駆動信号生成部１５とを電気的に接続する配線を長くして、コンデンサＣｒｅｆとタッチ検出部４０とを電気的に接続する配線を短くすることができる。その結果、コンデンサＣｒｅｆをタッチ検出部４０により近接して配置することができるので、タッチ検出機能付き表示装置１の外部からのノイズの影響を極力抑えることができる。
【０１２６】
ここで、駆動信号生成部１５は、本開示における「信号生成部」の一具体例に対応する。直流駆動信号ＶｃｏｍＤＣ、ＶｃｏｍＨは、本開示における「直流信号」の一具体例に対応する。駆動電極ドライバ１６は、本開示における「第１の駆動部」の一具体例に対応する。スイッチ回路ＳＷｒｅｆは、本開示における「第２の駆動部」の一具体例に対応する。直流駆動信号ＶｃｏｍＤＣは、本開示における「第１の直流信号」の一具体例に対応し、直流駆動信号ＶｃｏｍＨは、本開示における「第２の直流信号」の一具体例に対応する。コンデンサＣｒｅｆは、本開示における「素子」の一具体例に対応する。タッチ検出部４０は、本開示における「検出部」の一具体例に対応する。サブ画素ＳＰｉｘは、本開示における「表示素子」の一具体例に対応する。ソースドライバ１３及び選択スイッチ部１４は、本開示における「画素信号生成部」の一具体例に対応する。画素信号線ＳＧＬは、本開示における「信号線」の一具体例に対応する。
【０１２７】
［動作及び作用］
続いて、本実施の形態のタッチ検出機能付き表示装置１の動作及び作用について説明する。
【０１２８】
（全体動作概要）
まず、図１を参照して、タッチ検出機能付き表示装置１の全体動作概要を説明する。制御部１１は、映像信号Ｖｄｉｓｐに基づいて、ゲートドライバ１２、ソースドライバ１３、駆動電極ドライバ１６及びタッチ検出部４０に対してそれぞれ制御信号を供給し、これらがお互いに同期して動作するように制御する。
【０１２９】
ゲートドライバ１２は、液晶表示デバイス２０に走査信号Ｖｓｃａｎを供給し、表示駆動の対象となる１水平ラインを順次選択する。ソースドライバ１３は、画素信号Ｖｐｉｘが多重化された画素信号Ｖｓｉｇと、それに対応したスイッチ制御信号Ｖｓｅｌを生成し、選択スイッチ部１４に供給する。選択スイッチ部１４は、画素信号Ｖｓｉｇ及びスイッチ制御信号Ｖｓｅｌに基づいて画素信号Ｖｐｉｘを分離生成し、その画素信号Ｖｐｉｘを、１水平ラインを構成する各サブ画素ＳＰｉｘに供給する。駆動信号生成部１５は、直流駆動信号ＶｃｏｍＤＣ、ＶｃｏｍＨを生成する。駆動電極ドライバ１６は、駆動電極ブロックＢごとに、駆動信号Ｖｃｏｍを供給する。具体的には、駆動電極ドライバ１６は、表示動作では、駆動電極ＣＯＭＬに対して、直流駆動信号ＶｃｏｍＤＣを供給する。また、駆動電極ドライバ１６は、タッチ検出動作では、タッチ検出動作に係る駆動電極ＣＯＭＬに対して、直流駆動信号ＶｃｏｍＤＣ、ＶｃｏｍＨからパルス信号を生成して供給するとともに、それ以外の駆動電極ＣＯＭＬに対して、直流駆動信号ＶｃｏｍＤＣを供給する。タッチ検出機能付き表示デバイス１０は、表示動作を行うとともにタッチ検出動作を行い、タッチ検出電極ＴＤＬからタッチ検出信号Ｖｄｅｔを出力する。
【０１３０】
タッチ検出部４０は、タッチ検出信号Ｖｄｅｔに基づいて、タッチを検出する。具体的には、ＬＰＦ部４２は、タッチ検出信号Ｖｄｅｔに含まれる高い周波数成分（ノイズ成分）を除去し、タッチ成分を取り出して出力する。Ａ／Ｄ変換部４３は、ＬＰＦ部４２から出力されるアナログ信号をディジタル信号に変換する。信号処理部４４は、Ａ／Ｄ変換部４３の出力信号に基づいて、タッチ検出機能付き表示デバイス１０に対するタッチの有無を検出する。座標抽出部４５は、信号処理部４４においてタッチ検出がなされたときに、そのタッチパネル座標を求める。検出タイミング制御部４６は、ＬＰＦ部４２、Ａ／Ｄ変換部４３、信号処理部４４、座標抽出部４５が同期して動作するように制御する。次に、タッチ検出機能付き表示装置１の詳細動作を説明する。
【０１３１】
（詳細動作）
図３２は、タッチ検出機能付き表示装置のタイミング波形例を示す図であり、（Ａ）は走査信号Ｖｓｃａｎの波形を示し、（Ｂ）は画素信号Ｖｓｉｇの波形を示し、（Ｃ）はスイッチ制御信号Ｖｓｅｌの波形を示し、（Ｄ）は画素信号Ｖｐｉｘの波形を示し、（Ｅ）はＶｃｏｍ選択信号ＶＣＯＭＳＥＬの波形を示し、（Ｆ）は駆動信号Ｖｃｏｍの波形を示し、（Ｇ）はタッチ検出信号Ｖｄｅｔの波形を示し、（Ｈ）は補正出力値Ｖｒｅｆの波形を示す。
【０１３２】
タッチ検出機能付き表示装置１では、各１水平期間（１Ｈ）において、タッチ検出動作を行うタッチ検出期間Ｐｔと、表示動作の際に画素信号Ｖｐｉｘの書き込みを行う書込期間Ｐｗとが設けられる。タッチ検出動作では、駆動電極ドライバ１６が、駆動電極ブロックＢごとに、タッチ検出動作に係る駆動電極ＣＯＭＬに対して、直流駆動信号ＶｃｏｍＤＣ、ＶｃｏｍＨから生成されるパルス信号を順次供給することによりタッチ検出走査を行い、タッチ検出部４０が、タッチ検出電極ＴＤＬから出力されるタッチ検出信号Ｖｄｅｔに基づいてタッチを検出する。表示動作では、ゲートドライバ１２が、走査信号線ＧＣＬに対して走査信号Ｖｓｃａｎを順次供給し、ソースドライバ１３及び選択スイッチ部１４が、選択された水平ラインを構成する各サブ画素ＳＰｉｘに対して画素信号Ｖｐｉｘを書き込む。以下にその詳細を説明する。
【０１３３】
まず、タイミングｔ１において、１水平期間（１Ｈ）が開始するとともに、タッチ検出期間Ｐｔが開始する。
【０１３４】
駆動電極ドライバ１６の走査制御部５１は、タイミングｔ１において、Ｖｃｏｍ選択信号ＶＣＯＭＳＥＬの電圧をローレベルからハイレベルに変化させる（図３２（Ｅ））。これにより、駆動電極ドライバ１６では、タッチ検出動作に係るｋ番目の駆動部５３（ｋ）において、スイッチＳＷ１がオン状態になるとともにスイッチＳＷ２がオフ状態となり、直流駆動信号ＶｃｏｍＨが、そのスイッチＳＷ１を介して、対応するｋ番目の駆動電極ブロックＢ（ｋ）を構成する駆動電極ＣＯＭＬに対して、駆動信号Ｖｃｏｍ（Ｂ（ｋ））として供給される（図３２（Ｆ））。これにより、駆動信号Ｖｃｏｍ（Ｂ（ｋ））は、ローレベル（０Ｖ）からハイレベル（電位ＶＨ）に変化する。この駆動信号Ｖｃｏｍ（Ｂ（ｋ））は、静電容量を介してタッチ検出電極ＴＤＬに伝わり、タッチ検出信号Ｖｄｅｔが変化する（図３２（Ｇ））。また、Ｖｃｏｍ選択信号ＶＣＯＭＳＥＬの電圧がローレベルからハイレベルに変化すると、スイッチ回路ＳＷｒｅｆが直流駆動信号ＶｃｏｍＨを駆動信号ＶｓｗとしてコンデンサＣｒｅｆに出力する。これにより、コンデンサＣｒｅｆの出力信号である補正出力値Ｖｒｅｆが、タッチ検出信号Ｖｄｅｔと同位相且つタッチ検出信号Ｖｄｅｔと同期して変化する（図３２（Ｈ））。
【０１３５】
次に、タッチ検出部４０のＡ／Ｄ変換部４３が、サンプリングタイミングｔｓにおいて、タッチ検出信号Ｖｄｅｔ及び補正出力値Ｖｒｅｆが入力されたＬＰＦ部４２の出力信号をＡ／Ｄ変換する（図３２（Ｇ）、（Ｈ））。タッチ検出部４０の信号処理部４４は、複数の水平期間において収集したこのＡ／Ｄ変換結果に基づいて、タッチ検出を行う。
【０１３６】
なお、駆動部５３（ｋ）以外の駆動部５３では、タイミングｔ１〜ｔ２の期間において、スイッチＳＷ１がオフ状態になるとともに、スイッチＳＷ２がオン状態になっており、直流駆動信号ＶｃｏｍＤＣが、そのスイッチＳＷ２を介して、対応する駆動電極ブロックＢを構成する駆動電極ＣＯＭＬに対して供給される（図３２（Ｆ））。これにより、例えば駆動信号Ｖｃｏｍ（Ｂ（ｋ−１））、Ｖｃｏｍ（Ｂ（ｋ＋１））は、ローレベル（ＶｃｏｍＤＣ）を維持する。
【０１３７】
次に、駆動電極ドライバ１６の走査制御部５１は、タイミングｔ２において、Ｖｃｏｍ選択信号ＶＣＯＭＳＥＬの電圧をハイレベルからローレベルに変化させる（図３２（Ｅ））。これにより、駆動電極ドライバ１６では、駆動部５３（ｋ）において、スイッチＳＷ１がオフ状態になるとともにスイッチＳＷ２がオン状態となり、直流駆動信号ＶｃｏｍＤＣが、そのスイッチＳＷ２を介して、対応する駆動電極ブロックＢ（ｋ）を構成する駆動電極ＣＯＭＬに対して、駆動信号Ｖｃｏｍ（Ｂ（ｋ））として供給される（図３２（Ｆ））。
【０１３８】
この時、駆動電極ブロックＢ（ｋ）の駆動電極ＣＯＭＬに充電されていた電荷が、タイミングｔ２以降において、駆動部５３（ｋ）のスイッチＳＷ２を介して他の駆動電極ブロックＢに移動することにより、図３２（Ｆ）に示したように、駆動信号Ｖｃｏｍ（Ｖｃｏｍ（Ｂ（ｋ−１））、Ｖｃｏｍ（Ｂ（ｋ））、Ｖｃｏｍ（Ｂ（ｋ＋１））など）がやや上昇する（波形部分Ｗ１）。そして、駆動信号生成部１５がこの電荷をシンクすることにより、これらの駆動信号Ｖｃｏｍは、直流駆動信号ＶｃｏｍＤＣの電位レベル（０Ｖ）に収束する。
【０１３９】
次に、タイミングｔ３において、タッチ検出期間Ｐｔが終了するとともに、書込期間Ｐｗが開始する。
【０１４０】
ゲートドライバ１２は、タイミングｔ３において、表示動作に係るｎ行目の走査信号線ＧＣＬ（ｎ）に対して、走査信号Ｖｓｃａｎを供給し、走査信号Ｖｓｃａｎ（ｎ）がローレベルからハイレベルに変化する（図３２（Ａ））。これにより、ゲートドライバ１２は、表示動作の対象となる１水平ラインを選択する。
【０１４１】
そして、ソースドライバ１３が、画素信号Ｖｓｉｇとして、赤色のサブ画素ＳＰｉｘのための画素電位ＶＲを選択スイッチ部１４に供給するとともに（図３２（Ｂ））、その画素電位ＶＲを供給している期間においてハイレベルとなるスイッチ制御信号ＶｓｅｌＲを生成する（図３２（Ｃ））。そして、選択スイッチ部１４は、このスイッチ制御信号ＶｓｅｌＲがハイレベルとなる期間においてスイッチＳＷＲをオン状態にすることにより、ソースドライバ１３から供給された画素電位ＶＲを画素信号Ｖｓｉｇから分離し、画素信号ＶｐｉｘＲとして、画素信号線ＳＧＬを介して、赤色のサブ画素ＳＰｉｘに対して供給する（図３２（Ｄ））。なお、スイッチＳＷＲがオフ状態になった後には、この画素信号線ＳＧＬがフローティング状態になるために、この画素信号線ＳＧＬの電位は保持される（図３２（Ｄ））。
【０１４２】
同様に、ソースドライバ１３は、緑色のサブ画素ＳＰｉｘのための画素電位ＶＧを、対応するスイッチ制御信号ＶｓｅｌＧとともに選択スイッチ部１４に供給し（図３２（Ｂ）、（Ｃ））、選択スイッチ部１４は、スイッチ制御信号ＶｓｅｌＧに基づいて、この画素電位ＶＧを画素信号Ｖｓｉｇから分離して、画素信号ＶｐｉｘＧとして、画素信号線ＳＧＬを介して、緑色のサブ画素ＳＰｉｘに供給する（図３２（Ｄ））。
【０１４３】
その後、同様に、ソースドライバ１３は、青色のサブ画素ＳＰｉｘのための画素電位ＶＢを、対応するスイッチ制御信号ＶｓｅｌＢとともに選択スイッチ部１４に供給し（図３２（Ｂ）、（Ｃ））、選択スイッチ部１４は、スイッチ制御信号ＶｓｅｌＢに基づいて、この画素電位ＶＢを画素信号Ｖｓｉｇから分離して、画素信号ＶｐｉｘＢとして、画素信号線ＳＧＬを介して、青色のサブ画素ＳＰｉｘに供給する（図３２（Ｄ））。
【０１４４】
次に、ゲートドライバ１２は、タイミングｔ４において、ｎ行目の走査信号線ＧＣＬの走査信号Ｖｓｃａｎ（ｎ）をハイレベルからローレベルに変化させる（図３２（Ａ））。これにより、表示動作に係る１水平ラインのサブ画素ＳＰｉｘは、画素信号線ＳＧＬから電気的に切り離される。以上で書込期間Ｐｗが終了する。
【０１４５】
そして、タイミングｔ５において１水平期間（１Ｈ）が終了するとともに、新たな１水平期間（１Ｈ）が開始する。
【０１４６】
これ以降、上述した動作を繰り返すことにより、タッチ検出機能付き表示装置１では、線順次走査により、表示面全体における表示動作が行われるとともに、以下に示すように駆動電極ブロックＢずつ走査することにより、タッチ検出面全体におけるタッチ検出動作が行われる。
【０１４７】
図３３は、タッチ検出走査の動作例を示す図であり、（Ａ）はＶｃｏｍ選択信号ＶＣＯＭＳＥＬの波形を示し、（Ｂ）は走査信号Ｓｔの波形を示し、（Ｃ）は駆動信号Ｖｃｏｍの波形を示し、（Ｄ）はタッチ検出信号Ｖｄｅｔの波形を示し、（Ｅ）は補正出力値Ｖｒｅｆの波形を示す。なお、この図では、説明の便宜上、信号電位が遷移する際の過渡的な振る舞い（立ち上がり時間ｔｒ、立ち下がり時間ｔｆ等）を省略している。
【０１４８】
駆動電極ドライバ１６は、図３３に示したように、タッチ検出走査部５２が生成する走査信号Ｓｔ（図３３（Ｂ））に基づいて、対応する駆動電極ブロックＢに直流駆動信号ＶｃｏｍＨを順次供給することにより（図３３（Ｃ））、タッチ検出走査を行う。その際、駆動電極ドライバ１６は、タッチ検出動作の対象となる駆動電極ブロックＢに対して、所定の複数の水平期間にわたり、直流駆動信号ＶｃｏｍＤＣ、ＶｃｏｍＨから生成されるパルス信号を供給する（図３３（Ｃ））。タッチ検出部４０は、各１水平期間において、このパルス信号に基づくタッチ検出信号Ｖｄｅｔをサンプリングし、この所定の複数の水平期間のうちの最後の水平期間におけるサンプリングが終了した後に、信号処理部４４が、これらの複数のサンプリング結果に基づいて、その駆動電極ブロックＢに対応する領域に対するタッチの有無などを検出する。このように、複数のサンプリング結果に基づいてタッチ検出を行うようにしたので、サンプリング結果を統計的に解析することが可能となり、サンプリング結果のばらつきに起因するＳ／Ｎ比の劣化を抑えることができ、タッチ検出の精度を高めることができる。
【０１４９】
タッチ検出機能付き表示装置１では、駆動信号生成部１５が、駆動電極ドライバ１６に対して、配線ＬＤＣ、ＬＨを介して直流駆動信号ＶｃｏｍＤＣ、ＶｃｏｍＨを供給し、駆動電極ドライバ１６が、これらに基づいて駆動信号Ｖｃｏｍを生成している。よって、駆動信号生成部１５は、例えば、駆動電極ドライバ１６がタッチ検出動作の対象となる駆動電極ブロックＢに対して直流駆動信号ＶｃｏｍＨを供給する際、配線ＬＨにはすでに電位ＶＨが供給されているので、その駆動電極ブロックＢのみを駆動すればよい。これにより、タッチ検出機能付き表示装置１では、以下にいくつかの比較例と対比して説明するように、駆動信号Ｖｃｏｍの遷移時間（例えば立ち上がり時間ｔｒ）を短くすることができる。
【０１５０】
また、このように、駆動信号Ｖｃｏｍの遷移時間を短くすることにより、タッチ検出機能付き表示装置１の高精細化や大型化などにも対応できるようになる。具体的には、例えばタッチ検出機能付き表示装置１が高精細化した場合には、水平ラインの数が増加することに伴い、１フレーム期間における、画素信号の書込期間の占める割合が多くなるので、長い時間幅のタッチ検出時間Ｐｔを確保することが難しくなる。タッチ検出機能付き表示装置１では、上述したように、駆動信号Ｖｃｏｍ（パルス信号）の遷移時間を短くすることができるので、タッチ検出時間Ｐｔを短くすることができ、タッチ検出機能付き表示装置１の高精細化や大型化などにも対応できるようになる。次に、いくつかの比較例と対比して、本実施の形態の作用を説明する。
【０１５１】
（比較例１）
まず、比較例１に係るタッチ検出機能付き表示装置１Ｑについて説明する。タッチ検出機能付き表示装置１Ｑは、本実施の形態の場合（図１９）と異なり、駆動電極ドライバ１６が、制御部１１等とともにＣＯＧとして実装されている。
【０１５２】
図３４は、比較例１に係るタッチ検出機能付き表示装置の実装例を模式的に示す図である。図３４に示したように、駆動電極ドライバ１６が、制御部１１、ソースドライバ１３及び駆動信号生成部１５とともにＣＯＧとして実装され、並設された複数の駆動電極ブロックＢのそれぞれと、長い配線Ｌを介して接続されている。駆動電極ドライバ１６は、この配線Ｌを介して、各駆動電極ブロックＢに対して、例えば、図３３（Ｃ）に示したような駆動信号Ｖｃｏｍを供給する。また、駆動電極ドライバ１６は、タッチ検出部４０の近傍に配置されたコンデンサＣｒｅｆと配線Ｌ２を介して接続され、この配線Ｌ２を介して、コンデンサＣｒｅｆに対して、例えば、図３３（Ｃ）に示したような駆動信号Ｖｃｏｍを供給する。
【０１５３】
本比較例１に係るタッチ検出機能付き表示装置１Ｑでは、ＣＯＧとして実装された駆動電極ドライバ１６が、直接、長い配線Ｌを介して各駆動電極ブロックＢを駆動する。図３４に示したように、配線Ｌは、駆動電極ブロックＢの数だけ必要になるため、各配線Ｌの幅は細くなり、配線抵抗が大きくなってしまう。これにより、駆動電極ドライバ１６が、各駆動電極ブロックＢに対して、図３３（Ｃ）に示したような駆動信号Ｖｃｏｍ（パルス信号）を供給する場合、配線Ｌの時定数が大きいため、その信号の立ち上がり時間ｔｒ及び立ち下がり時間ｔｆが増大してしまい、そのパルス波形が潰れてしまうおそれがある。この場合には、その潰れたパルス信号がタッチ検出電極ＴＤＬに伝わり、タッチ検出信号Ｖｄｅｔとして出力されるため、タッチ検出の精度が低下するおそれがある。
【０１５４】
一方、本実施の形態に係るタッチ検出機能付き表示装置１では、図１９に示したように、駆動電極ドライバ１６（１６Ａ、１６Ｂ）は、表示領域Ａｄの近傍のＴＦＴ基板２１上に、ＴＦＴ素子を用いて形成されている。そして、駆動信号生成部１５は、駆動電極ドライバ１６に対して、太い配線ＬＤＣを介して直流駆動信号ＶｃｏｍＤＣを供給するとともに、太い配線ＬＨを介して直流駆動信号ＶｃｏｍＨを供給し、駆動電極ドライバ１６は、このようにして供給された直流駆動信号ＶｃｏｍＤＣ、ＶｃｏｍＨに基づいて、図３３（Ｃ）に示したような駆動信号Ｖｃｏｍ（パルス信号）を生成し、駆動電極ブロックＢに対して供給する。すなわち、配線ＬＤＣ、ＬＨは、太く形成されており、かつ直流信号を伝えることから、タッチ検出機能付き表示装置１では、駆動信号Ｖｃｏｍのパルス波形が、配線ＬＤＣ、ＬＨの時定数により潰れるおそれを低減することができる。
【０１５５】
（比較例２）
次に、比較例２に係るタッチ検出機能付き表示装置１Ｒについて説明する。タッチ検出機能付き表示装置１Ｒは、本実施の形態の場合（図１９）と異なり、駆動信号生成部が交流の駆動信号を生成する。
【０１５６】
図３５は、比較例２に係るタッチ検出機能付き表示装置の一構成例を示す図である。タッチ検出機能付き表示装置１Ｒは、駆動信号生成部１５Ｒと、制御部１１Ｒを備えている。駆動信号生成部１５Ｒは、直流駆動信号ＶｃｏｍＤＣ及び交流駆動信号ＶｃｏｍＡＣを生成し、駆動電極ドライバ１６に対して供給する。また、駆動信号生成部１５Ｒは、交流駆動信号ＶｃｏｍＡＣをコンデンサＣｒｅｆに対して供給する。駆動電極ドライバ１６は、直流駆動信号ＶｃｏｍＤＣ及び交流駆動信号ＶｃｏｍＡＣに基づいて、上記実施の形態の場合と同様に、駆動電極ブロックＢに対して駆動信号Ｖｃｏｍを供給する。制御部１１Ｒは、制御部１１の機能に加え、この駆動信号制御部１５Ｒに対して、交流駆動信号ＶｃｏｍＡＣの遷移タイミングなどを指示するための制御信号を供給する機能を有している。
【０１５７】
図３６は、比較例２に係るタッチ検出機能付き表示装置の実装例を模式的に示す図である。図３６に示したように、駆動信号生成部１５Ｒは、制御部１１Ｒ、ソースドライバ１３とともに、画素基板２上にＣＯＧとして実装されている。駆動電極ドライバ１６は、駆動信号生成部１５Ｒから、太いパターンを有する配線ＬＤＣにより直流駆動信号ＶｃｏｍＤＣの供給を受けるとともに、太いパターンを有する配線ＬＡＣにより交流駆動信号ＶｃｏｍＡＣの供給を受ける。すなわち、タッチ検出機能付き表示装置１Ｒでは、配線ＬＡＣを太く形成することにより、配線の時定数を小さくしている。また、配線ＬＡＣから分岐した配線ＬＡＣｂが、タッチ検出部４０の近傍に配置されたコンデンサＣｒｅｆに接続されており、交流駆動信号ＶｃｏｍＡＣが配線ＬＡＣｂを介してコンデンサＣｒｅｆに供給される。
【０１５８】
図３７は、比較例２に係るタッチ検出機能付き表示装置のタイミング波形例を示す図であり、（Ａ）は交流駆動信号ＶｃｏｍＡＣの波形を示し、（Ｂ）は直流駆動信号ＶｃｏｍＤＣの波形を示し、（Ｃ）は走査信号Ｖｓｃａｎの波形を示し、（Ｄ）は画素信号Ｖｓｉｇの波形を示し、（Ｅ）はスイッチ制御信号Ｖｓｅｌの波形を示し、（Ｆ）は画素信号Ｖｐｉｘの波形を示し、（Ｇ）はＶｃｏｍ選択信号ＶＣＯＭＳＥＬの波形を示し、（Ｈ）は駆動信号Ｖｃｏｍの波形を示し、（Ｉ）はタッチ検出信号Ｖｄｅｔの波形を示し、（Ｊ）は補正出力値Ｖｒｅｆの波形を示す。
【０１５９】
本比較例２に係る駆動電極ドライバ１６では、走査制御部５１は、図３７に示したように、交流駆動信号ＶｃｏｍＡＣのパルス幅（タイミングｔ１２〜ｔ１３の時間）より広いパルス幅（タイミングｔ１１〜ｔ１４の時間）を有するＶｃｏｍ選択信号ＶＣＯＭＳＥＬを生成する。そして、各駆動部５３は、このＶｃｏｍ選択信号ＶＣＯＭＳＥＬがハイレベルの期間において、交流駆動信号ＶｃｏｍＡＣのパルス波形部分を、タッチ検出駆動の対象となる駆動電極ブロックＢに供給する（図３７（Ｈ））。
【０１６０】
本比較例２に係るタッチ検出機能付き表示装置１Ｒでは、図３６に示したように、ＣＯＧとして実装された駆動信号生成部１５Ｒが、駆動電極ドライバ１６に対して、長い配線ＬＡＣを介して交流駆動信号ＶｃｏｍＡＣを供給する。この配線ＬＡＣは、上記比較例１に係るタッチ検出機能付き表示装置１Ｑの場合（図３４）と異なり、太く形成されているため、配線抵抗を小さくすることができる。しかしながら、配線ＬＡＣは交流駆動信号ＶｃｏｍＡＣを伝えるため、この配線ＬＡＣの配線容量に起因してパルス信号の遷移時間が大きくなるおそれがある。
【０１６１】
図３８は、比較例２に係るタッチ検出機能付き表示装置と、第１の実施の形態に係るタッチ検出機能付き表示装置における、駆動信号の立ち上がり時間と立ち下がり時間の特性例を示す図である。
【０１６２】
このように、比較例２に係るタッチ検出機能付き表示装置１Ｒでは、駆動信号生成部１５Ｒは、タッチ検出動作の対象となる駆動電極ブロックＢに対して交流駆動信号ＶｃｏｍＡＣを供給する際、その駆動電極ブロックＢに加え、配線ＬＡＣをも駆動する必要があるため、立ち上がり時間ｔｒ及び立ち下がり時間ｔｆが長くなるおそれがある。
【０１６３】
一方、タッチ検出機能付き表示装置１では、駆動信号生成部１５が、駆動電極ドライバ１６に対して、配線ＬＤＣ、ＬＨを介して直流駆動信号ＶｃｏｍＤＣ、ＶｃｏｍＨを供給し、駆動電極ドライバ１６が、これらに基づいてパルス信号を生成している。よって、駆動信号生成部１５は、例えば、タッチ検出動作の対象となる駆動電極ブロックＢに対して直流駆動信号ＶｃｏｍＨを供給する際、配線ＬＨにはすでに電位ＶＨが供給されているので、その駆動電極ブロックＢのみを駆動すればよい。これにより、タッチ検出機能付き表示装置１は、立ち上がり時間ｔｒを短くすることができる。
【０１６４】
また、タッチ検出機能付き表示装置１Ｒでは、その太く形成された配線ＬＡＣにおける信号が交流信号（交流駆動信号ＶｃｏｍＡＣ）であるため、その交流成分が、表示領域Ａｄに並設されたタッチ検出電極ＴＤＬのうちの一番外側のタッチ検出電極ＴＤＬに、寄生容量などを介してノイズＮ１として伝わるおそれがある（図３６）。この寄生容量は、配線抵抗を小さくするために配線ＬＡＣを太く形成した場合にはより大きくなる。このようにタッチ検出電極ＴＤＬにノイズが伝わる場合には、このノイズが重畳されたタッチ検出信号Ｖｄｅｔに基づいてタッチ検出が行われるため、タッチ検出の精度が低下するおそれがある。
【０１６５】
一方、本実施の形態に係るタッチ検出機能付き表示装置１では、図１９に示したように、太く形成された２本の配線ＬＤＣ、ＬＨにおける信号は、ともに直流信号（直流駆動信号ＶｃｏｍＤＣ、ＶｃｏｍＨ）であるため、この配線ＬＤＣ、ＬＨの信号が、タッチ検出電極ＴＤＬに、寄生容量などを介してノイズとして伝わるおそれを低減することができる。これにより、タッチ検出機能付き表示装置１は、タッチ検出の精度が低下するおそれを低減することができる。
【０１６６】
以上のように本実施の形態では、駆動信号生成部が２つの直流駆動信号を生成し、駆動電極ブロックの近傍に配置された駆動電極ドライバがそれらに基づいて駆動信号を生成するようにしたので、駆動信号の遷移時間を短くすることができ、各駆動電極ブロックを、より短い時間で駆動することができる。
【０１６７】
また、本実施の形態では、駆動信号の遷移時間を短くするようにしたので、駆動信号のパルス波形が潰れるおそれを低減でき、タッチ検出の精度の低下を抑えることができる。
【０１６８】
また、本実施の形態では、駆動信号生成部が、配線を介して駆動電極ドライバに対して直流駆動信号を供給するようにしたので、これらの配線の信号が、タッチ検出電極に対してノイズとして伝わるおそれを低減することができ、タッチ検出の精度の低下を抑えることができる。
【０１６９】
［変形例１−１］
上記実施の形態では、各水平ラインを表示するごとにタッチ検出を行ったが、これに限定されるものではなく、これに代えて、例えば、複数の水平ラインを表示するごとにタッチ検出を行ってもよい。具体的には、例えば、表示面を、タッチ検出面と同様に複数の領域（部分表示領域）に区分し、各部分表示領域における表示動作ごとに、タッチ検出動作を行ってもよい。以下に、表示面を２０個の部分表示領域Ａ１〜Ａ２０に区分した場合の例について、詳細に説明する。
【０１７０】
図３９は、変形例１−１に係るタッチ検出機能付き表示装置の動作を模式的に示す図であり、（Ａ）はタッチ検出動作を示し、（Ｂ）は表示動作を示す。この例では、１フレーム期間（１Ｆ）において、２０個のタッチ検出期間Ｐｔと、２０個の表示期間Ｐｄとが交互に配置されている。
【０１７１】
まず、最初のタッチ検出期間Ｐｔでは、駆動電極ブロックＢ１、Ｂ２に対するタッチ検出動作が行われ、続く表示期間Ｐｄでは、部分表示領域Ａ１における複数の水平ラインに対する表示動作（書込動作）が行われる。そして、次のタッチ検出期間Ｐｔでは、駆動電極ブロックＢ３、Ｂ４に対するタッチ検出動作が行われ、続く表示期間Ｐｄでは、部分表示領域Ａ２における複数の水平ラインに対する表示動作（書込動作）が行われる。その後、同様に交互にタッチ検出動作と表示動作が行われる。
【０１７２】
図４０は、変形例１−１に係るタッチ検出機能付き表示装置のタッチ検出期間におけるタッチ検出動作を示す図である。駆動電極ドライバ１６は、タッチ検出期間Ｐｔにおいて、駆動電極ブロックＢ（ｋ）に対して、直流駆動信号ＶｃｏｍＤＣ、ＶｃｏｍＨを交互に所定回数供給する（図４０（Ａ））。この駆動信号Ｖｃｏｍは、静電容量を介してタッチ検出電極ＴＤＬに伝わり、タッチ検出信号Ｖｄｅｔが変化する（図４０（Ｂ））。また、駆動信号Ｖｃｏｍと同位相且つ駆動信号Ｖｃｏｍと同期した駆動信号がコンデンサＣｒｅｆに供給され、補正出力値Ｖｒｅｆが変化する（図４０（Ｃ））。タッチ検出部４０のＡ／Ｄ変換部４３は、これらのパルス信号に同期したサンプリングタイミングｔｓにおいて、タッチ検出信号Ｖｄｅｔ及び補正出力値Ｖｒｅｆが入力されたアナログＬＰＦ部４２の出力信号をＡ／Ｄ変換する（図４０（Ｂ）、（Ｃ））。そして、信号処理部４４は、これらのＡ／Ｄ変換結果に基づいて、駆動電極ブロックＢ（ｋ）におけるタッチ検出を行う。
【０１７３】
その後、駆動電極ドライバ１６は、駆動電極ブロックＢ（ｋ＋１）に対して、同様に直流駆動信号ＶｃｏｍＤＣ、ＶｃｏｍＨを所定回数交互に供給し（図４０（Ａ））、タッチ検出部４０が、タッチ検出信号Ｖｄｅｔ及び補正出力値Ｖｒｅｆに基づいて、駆動電極ブロックＢ（ｋ＋１）におけるタッチ検出を行う。
【０１７４】
なお、図４０に示した例では、タッチ検出期間Ｐｔの最後の所定の期間において、駆動電極ドライバ１６は、駆動信号ブロックＢ（ｋ）、Ｂ（ｋ＋１）に対して、直流駆動信号ＶｃｏｍＤＣを供給している。これにより、図３２に示した波形部分Ｗ１のような現象が生じる場合でも、駆動信号Ｖｃｏｍが直流駆動信号ＶｃｏｍＤＣの電圧レベル（０Ｖ）に収束するまでの時間を確保することができる。
【０１７５】
また、上記実施の形態では、駆動信号生成部１５は、２つの直流駆動信号ＶｃｏｍＤＣ、ＶｃｏｍＨを生成し、駆動電極ドライバ１６は、これらを駆動電極ブロックＢに対して選択的に供給したが、これに限定するものではなく、これに代えて、例えば、駆動信号生成部が３つの直流駆動信号ＶｃｏｍＤＣ、ＶｃｏｍＨ、ＶｃｏｍＬを生成し、駆動電極ドライバが、これらを駆動電極ブロックＢに対して選択的に供給し、スイッチ回路が、これらをコンデンサＣｒｅｆに対して選択的に供給してもよい。ここで、直流駆動信号ＶｃｏｍＬは、０Ｖより低い電位ＶＬの直流信号である。この場合には、本変形例に係る表示パネルは、例えば、図４１に示したようにタッチ検出動作を行うことができる。図４１は、変形例１−１に係るタッチ検出機能付き表示装置のタッチ検出期間におけるタッチ検出動作を示す図である。
【０１７６】
［変形例１−２］
上記実施の形態では、駆動電極ドライバ１６のタッチ検出走査部５２を、シフトレジスタを用いて構成したが、これに限定されるものではなく、これに代えて、例えば、デコーダを用いて構成してもよい。以下に、詳細に説明する。
【０１７７】
図４２は、変形例１−２に係る駆動電極ドライバの一構成例を示す図である。図４３は、図４２のデコーダの真理値表を示す図である。駆動電極ドライバ１６Ｃは、走査制御部６１と、デコーダ６２と、を備えている。デコーダ６２は、５ビットのデコーダであり、図４３において真理値表を用いて示したように、５ビットの入力コードＤＩ（ＤＩ４（ＭＳＢ）〜ＤＩ０（ＬＳＢ））に基づいて、２０個の駆動電極ブロックＢ１〜Ｂ２０のうちの１つを選択できるようになっている。走査制御部６１は、制御部１１より供給された制御信号に基づいて、デコーダ６２に対して５ビットのコードＤＩを供給するとともに、Ｖｃｏｍ選択信号ＶＣＯＭＳＥＬを、駆動部５３０に対して供給する。
【０１７８】
デコーダ６２は、４ビットデコーダ６３と、複数の論理回路６４と、を有する。４ビットデコーダ６３は、入力コードＤＩの上位４ビット（ＤＩ４〜ＤＩ１）をデコードして、複数の論理回路６４の中から１つの論理回路を選択して、ハイレベルの制御信号を出力する。論理回路６４は、インバータ６５と、論理積回路６６１、６６２を有する。インバータ６５は、走査制御部６１から供給される入力コードＤＩの最下位ビット（ＤＩ０）を反転出力する。論理積回路６６１は、４ビットデコーダ６３からの制御信号とインバータ６５との論理積を生成して、関連づけられた駆動部５３に出力する。論理積回路６６２は、４ビットデコーダ６３からの制御信号と入力コードＤＩの最下位ビット（ＤＩ０）との論理積を生成して、関連づけられた駆動部５３に出力する。
【０１７９】
このように、デコーダ６２を用いて駆動電極ドライバ１６Ｃを構成することにより、タッチ検出走査の際、駆動電極ブロックＢを、任意の順番で順次駆動することができる。具体的には、例えば、駆動電極ブロックＢ１、Ｂ３、Ｂ５、…、Ｂ１９のように、飛び越しながら駆動することによりタッチ検出走査を行うことも可能である。
【０１８０】
なお、本変形例に係る駆動電極ドライバは、図４２の構成に限定されるものではなく、これに代えて、例えば図４４のように構成してもよい。図４４は、変形例１−２に係る駆動電極ドライバの他の構成例を示す図である。すなわち、図４２に示したデコーダ６２の最終段回路６４と、駆動部５３の論理積回路５４とを組み合わせて、よりシンプルに構成し直してもよい。この例では、インバータ６７と、論理積回路６８、６９を設けることにより、全ての最終段回路６４を削除でき、回路規模を小さくすることができる。
【０１８１】
また、以上では、入力コードＤＩに基づいて、２０個の駆動電極ブロックＢ１〜Ｂ２０のうちの１つを選択するようにしたが、これに限定されるものではなく、例えば、複数の駆動電極ブロックＢを同時に選択する機能をも有するように構成してもよい。以下に、この場合の例を詳細に説明する。
【０１８２】
図４５は、変形例１−２に係る駆動電極ドライバの他の構成例を示す図である。図４６は、図４５のデコーダの真理値表を示す図である。駆動電極ドライバ１６Ｅは、２０個の駆動電極ブロックＢ１〜Ｂ２０のうちの１つを選択する動作モードＭ１と、２つを同時に選択する動作モードＭ２との２つの動作モードを有している。
【０１８３】
駆動電極ドライバ１６Ｅは、走査制御部７１と、論理和回路７８、７９とを備えている。走査制御部７１は、走査制御部６１の有する機能に加えて、モード選択信号ＥＮを出力する機能を有している。モード選択信号ＥＮがローレベルである場合には、駆動電極ドライバ１６Ｅは動作モードＭ１で動作する。すなわち、この場合には、一方の端子にローレベルが入力された論理和回路７８、７９は、論理動作の観点からは意味をなさないため、この駆動電極ドライバ１６Ｅの構成は、図４４に示した駆動電極ドライバ１６Ｄの構成と同等になる。また、モード選択信号ＥＮがハイレベルである場合には、論理和回路７８、７９の出力は強制的にハイレベルになり、入力コードＤＩのＬＳＢビットであるビットＤＩ０の設定が無視されるので、図４６において真理値表を用いて示したように、５ビットの入力コードＤＩのうちの上位４ビット（ＤＩ４〜ＤＩ１）を用いて、駆動電極ブロックＢを２つずつ選択できるようになる。
【０１８４】
＜２．第２の実施の形態＞
次に、第２の実施の形態に係るタッチ検出機能付き表示装置７について説明する。本実施の形態は、タッチ検出期間Ｐｔにおいて、タッチ検出動作の対象外の駆動電極ブロックＢをフローティングにするものである。すなわち、タッチ検出機能付き表示装置７は、駆動電極ブロックＢをフローティングにすることができる駆動部７３を有する駆動電極ドライバ１８を用いて構成されたものである。その他の構成は、上記第１の実施の形態（図１）と同様である。なお、上記第１の実施の形態に係るタッチ検出機能付き表示装置１と実質的に同一の構成部分には同一の符号を付し、適宜説明を省略する。
【０１８５】
図４７は、第２の実施の形態に係る駆動部の一構成例を示す図である。なお、ここでは、ｋ番目の駆動部７３（ｋ）について説明するが、他の駆動部も同じ構成である。
【０１８６】
駆動部７３は、論理和回路７２と、論理積回路７４、７５とを備えている。論理和回路７２は、タッチ検出走査部５２から供給された走査信号Ｓｔ及びインピーダンス制御信号ＺＳＥＬの論理積を生成して出力する。ここで、インピーダンス制御信号ＺＳＥＬは、後述するように、タッチ検出期間Ｐｔのみローレベルとなり、その他の期間ではハイレベルとなる論理信号である。このインピーダンス制御信号ＺＳＥＬは、例えば、走査制御部５１が生成してもよいし、他の回路が生成してもよい。論理積回路７５は、論理積回路５４の出力信号及び論理和回路７２の出力信号の論理積を生成して、バッファ５６に供給する。また、論理積回路７４は、インバータ５５の出力信号、及び論理和回路７２の出力信号の論理積を生成して、バッファ５７に供給する。
【０１８７】
この構成により、駆動部７３は、走査信号Ｓｔ及びインピーダンス制御信号ＺＳＥＬがともにローレベルである場合には、スイッチＳＷ１、ＳＷ２の両方をオフ状態にすることにより、その駆動部７３に接続された駆動電極ブロックＢをフローティング状態にする。また、駆動部７３は、走査信号Ｓｔ及びインピーダンス制御信号ＺＳＥＬの少なくとも一方がハイレベルである場合には、上記第１の実施の形態に係る駆動部５３と同等の動作を行う。
【０１８８】
図４８は、第２の実施の形態に係るタッチ検出機能付き表示装置のタイミング波形例を示す図であり、（Ａ）は走査信号Ｖｓｃａｎの波形を示し、（Ｂ）は画素信号Ｖｓｉｇの波形を示し、（Ｃ）はスイッチ制御信号Ｖｓｅｌの波形を示し、（Ｄ）は画素信号Ｖｐｉｘの波形を示し、（Ｅ）はＶｃｏｍ選択信号ＶＣＯＭＳＥＬの波形を示し、（Ｆ）はインピーダンス制御信号ＺＳＥＬの波形を示し、（Ｇ）は駆動信号Ｖｃｏｍの波形を示し、（Ｈ）はタッチ検出信号Ｖｄｅｔの波形を示し、（Ｉ）は補正出力値Ｖｒｅｆの波形を示す。
【０１８９】
図４８に示したように、タイミングｔ２１〜ｔ２３の期間（タッチ検出期間Ｐｔ）において、インピーダンス制御信号ＺＳＥＬがローレベルになる（図４８（Ｆ））。このとき、タッチ検出動作の対象の駆動電極ブロックＢ（ｋ）には、上記第１の実施の形態の場合と同様に、直流駆動信号ＶｃｏｍＤＣ、ＶｃｏｍＨから生成されるパルス信号が供給される（図４８（Ｇ））。一方、タッチ検出動作の対象外の駆動電極ブロックＢ（ｋ−１）、Ｂ（ｋ＋１）は、これらの駆動電極ブロックに接続された駆動部７３（ｋ−１）、７３（ｋ＋１）内のスイッチＳＷ１、ＳＷ２がともにオフ状態になるため、フローティング状態になる（波形部分Ｗ２）。
【０１９０】
これにより、タッチ検出機能付き表示装置７では、上記第１の実施の形態に係るタッチ検出機能付き表示装置１の場合（図３２の波形部分Ｗ１）とは異なり、駆動電極ブロックＢ（ｋ）の駆動電極ＣＯＭＬに充電されていた電荷が、タイミングｔ２２以降において、他の駆動電極ブロックＢに移動することがないので、駆動信号Ｖｃｏｍは、短い時間で０Ｖに収束する。このように、タッチ検出機能付き表示装置７では、書込期間Ｐｗにおいて、駆動信号Ｖｃｏｍの電圧が短い時間で０Ｖに収束するため、表示画質に影響を及ぼすおそれを低減することができる。
【０１９１】
また、タッチ検出機能付き表示装置７では、駆動電極ドライバ１８は、タッチ検出期間Ｐｔにおいて、タッチ検出動作の対象外の駆動電極ブロックＢをフローティング状態にする。すなわち、駆動信号生成部１５の負荷は、２０個の駆動電極ブロックＢ１〜Ｂ２０のうち、タッチ検出動作の対象の駆動電極ブロックＢのみとなる。これにより、タッチ検出機能付き表示装置７では、駆動信号Ｖｃｏｍの遷移時間を短くすることができる。
【０１９２】
図４９は、比較例２に係るタッチ検出機能付き表示装置と、第２の実施の形態に係るタッチ検出機能付き表示装置における、駆動信号の立ち上がり時間と立ち下がり時間の特性例を示す図である。図４９に示したように、タッチ検出機能付き表示装置７では、タッチ検出動作の対象外の駆動電極ブロックＢをフローティング状態にしたので、駆動信号生成部１５の負荷を小さくすることができ、駆動信号Ｖｃｏｍの遷移時間（立ち上がり時間ｔｒ、立ち下がり時間ｔｆ）を短くすることができる。
【０１９３】
また、タッチ検出機能付き表示装置７では、タッチ検出期間Ｐｔにおいて、スイッチ制御信号Ｖｓｅｌをローレベルにして（図４８（Ｃ））、選択スイッチ部１４の各スイッチＳＷＲ、ＳＷＧ及びＳＷＢを全てオフ状態にしている。すなわち、画素信号線ＳＧＬは、タッチ検出期間Ｐｔにおいて、フローティング状態になっている。これにより、画素信号線ＳＧＬに電圧が供給されている場合（後述する変形例２−１）と比較して、駆動電極ＣＯＭＬの容量や、タッチ検出電極ＴＤＬの容量を減らすことができ、タッチ検出に要する時間Ｔｔｏｔａｌを短くすることができる。
【０１９４】
以上のように本実施の形態では、タッチ検出動作の対象外の駆動電極ブロックをフローティング状態にしたので、表示画質に影響を及ぼすおそれを低減することができる。
【０１９５】
また、本実施の形態では、タッチ検出期間において、タッチ検出動作の対象の駆動電極ブロックのみを駆動信号生成部の負荷にしたので、駆動信号生成部の負荷が軽くなるので、駆動信号の遷移時間を短くすることができる。
【０１９６】
また、本実施の形態では、タッチ検出期間において、画素信号線をフローティングにしたので、タッチ検出に要する時間を短くすることができる。
【０１９７】
その他の効果は、上記第１の実施の形態の場合と同様である。
【０１９８】
［変形例２−１］
上記実施の形態では、選択スイッチ部１４を設けたが、これに限定するものではなく、これに代えて、ソースドライバが画素信号Ｖｐｉｘを直接生成してもよい。以下に、本変形例の詳細を説明する。
【０１９９】
図５０は、変形例２−１に係るタッチ検出機能付き表示装置の一構成例を示す図である。図５１は、変形例２−１に係るタッチ検出機能付き表示装置のタイミング波形例を示す図であり、（Ａ）は走査信号Ｖｓｃａｎの波形を示し、（Ｂ）は画素信号Ｖｐｉｘの波形を示し、（Ｃ）はＶｃｏｍ選択信号ＶＣＯＭＳＥＬの波形を示し、（Ｄ）はインピーダンス制御信号ＺＳＥＬの波形を示し、（Ｅ）は駆動信号Ｖｃｏｍの波形を示し、（Ｆ）はタッチ検出信号Ｖｄｅｔの波形を示し、（Ｇ）は補正出力値Ｖｒｅｆの波形を示す。
【０２００】
タッチ検出機能付き表示装置７Ｂは、図５０に示したように、ソースドライバ１３Ｂを備えている。ソースドライバ１３Ｂは、制御部１１から供給される映像信号及びソースドライバ制御信号に基づいて、画素信号Ｖｐｉｘ（ＶｐｉｘＲ、ＶｐｉｘＧ、ＶｐｉｘＢ）を生成し、出力するものである。すなわち、ソースドライバ１３Ｂは、上記実施の形態に係るソースドライバ１３とは異なり、画素信号Ｖｓｉｇを生成するのではなく、画素信号Ｖｐｉｘを直接生成し、その画素信号Ｖｐｉｘを、タッチ検出機能付き表示デバイス１０の液晶表示デバイス２０に供給する。その際、ソースドライバ１３Ｂは、図５１に示したように、画素信号線ＳＧＬをフローティングにさせることなく、常に、画素信号線ＳＧＬに対して画素信号Ｖｐｉｘを供給する。
【０２０１】
この場合でも、上記実施の形態に係るタッチ検出機能付き表示装置７と同様に、タッチ検出動作の対象の駆動電極ブロックのみが駆動信号生成部の負荷となるので、駆動信号の遷移時間を短くすることができる。
【０２０２】
なお、上記実施の形態に係るタッチ検出機能付き表示装置７では、本変形例に係るタッチ検出機能付き表示装置７Ｂとは異なり、タッチ検出期間Ｐｔにおいて、画素信号線ＳＧＬをフローティングにしている。これにより、タッチ検出電極ＴＤＬの容量を減らすことができる。具体的には、駆動電極ＣＯＭＬがフローティング状態の場合には、タッチ検出電極ＴＤＬの容量は、タッチ検出電極ＴＤＬとその駆動電極ＣＯＭＬとの間の容量と、その駆動電極ＣＯＭＬとその下に配設された画素信号線ＳＧＬ間の容量との直列容量になる。すなわち、容量の直列接続により、タッチ検出電極ＴＤＬの容量を小さくすることができる。
【０２０３】
このように、タッチ検出機能付き表示装置７では、タッチ検出電極ＴＤＬの時定数が小さくなるため、タッチ検出信号Ｖｄｅｔの遷移時間（立ち上がり時間ｔｒ及び立ち下がり時間ｔｆ）を小さくすることができ、表示パネル全体でのタッチ検出に要する時間Ｔｔｏｔａｌを短くすることができる。
【０２０４】
図５２は、タッチ検出機能付き表示装置における、タッチ検出に要する時間を示す図である。時間ｔｔｘは、タッチ検出に要する時間Ｔｔｏｔａｌのうち、駆動電極ＣＯＭＬに起因する時間を示し、時間ｔｒｘは、タッチ検出電極ＴＤＬに起因する時間を示す。
【０２０５】
このように、タッチ検出機能付き表示装置７では、タッチ検出電極ＴＤＬの時定数を小さくすることができるため、タッチ検出電極ＴＤＬに起因する時間ｔｒｘを短くすることができ、表示パネル全体でのタッチ検出に要する時間Ｔｔｏｔａｌを短くすることができる。
【０２０６】
［変形例２−２］
上記実施の形態に係るタッチ検出機能付き表示装置７に、上記第１の実施の形態の変形例１−１、１−２を適用してもよい。
【０２０７】
以上、いくつかの実施の形態及び変形例を挙げて本技術を説明したが、本技術はこれらの実施の形態等には限定されず、種々の変形が可能である。
【０２０８】
例えば、上記実施の形態等では、図２に示したように、ＴＦＴ基板２１の上に駆動電極ＣＯＭＬを形成し、その上に絶縁膜２３を介して画素電極２２を形成したが、これに限定されるものではなく、これに代えて、例えば、ＴＦＴ基板２１の上に画素電極２２を形成し、その上に絶縁膜２３を介して駆動電極ＣＯＭＬを形成してもよい。
【０２０９】
また、例えば、上記実施の形態等では、ＦＦＳやＩＰＳ等の横電界モードの液晶を用いた液晶表示デバイスとタッチ検出デバイスとを一体化したが、これに代えて、ＴＮ（ツイステッドネマティック）、ＶＡ（垂直配向）、ＥＣＢ（電界制御複屈折）等の各種モードの液晶を用いた液晶表示デバイスとタッチ検出デバイスとを一体化してもよい。このような液晶を用いた場合には、タッチ検出機能付き表示デバイスを、図５３に示したように構成可能である。図５３は、タッチ検出機能付き表示デバイスの要部断面構造の一例を示す図である。このタッチ検出機能付き表示装置１０Ｄでは、画素基板２Ｂと対向基板３Ｂとの間に液晶層６Ｂを挟持された状態を示している。その他の各部の名称や機能等は図２の場合と同様なので、説明を省略する。この例では、図２の場合とは異なり、表示用とタッチ検出用の双方に兼用される駆動電極ＣＯＭＬは、対向基板３Ｂに形成されている。
【０２１０】
また、例えば、上記各実施の形態では、液晶表示デバイスと静電容量式のタッチ検出デバイスとを一体化したタイプとしたが、これに限定されるものではなく、これに代えて、例えば液晶表示デバイスの表面に静電容量式のタッチ検出デバイスを形成したタイプであってもよい。このタイプでは、例えば、液晶表示デバイスから、タッチ検出デバイスに表示駆動のノイズが伝搬する場合には、上記実施の形態のように駆動することにより、そのノイズを低減することができるため、タッチ検出精度の低下を抑えることができる。
【０２１１】
また、例えば、上記各実施の形態では、開示例として液晶表示装置の場合を例示したが、その他の適用例として、有機ＥＬ（Electro  Luminescence）表示装置、その他の自発光型表示装置或いは電気泳動素子等を有する電子ペーパー型表示装置等、あらゆるフラットパネル型の表示装置が挙げられる。また、中小型から大型まで、特に限定することなく適用が可能であることは言うまでもない。
【０２１２】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの又は工程の追加、省略若しくは条件変更を行ったものも、本発明の要旨を備えている限り、本発明の範囲に含まれる。
【０２１３】
＜３．適用例＞
次に、図５４〜図６６を参照して、本実施形態及び変形例で説明したタッチ検出機能付き表示装置の適用例について説明する。図５４〜図６６は、本実施形態及び変形例に係るタッチ検出機能付き表示装置を適用する電子機器の一例を示す図である。本実施形態及び変形例に係るタッチ検出機能付き表示装置は、テレビジョン装置、ディジタルカメラ、ノート型パーソナルコンピュータ、携帯電話等の携帯端末装置或いはビデオカメラなどのあらゆる分野の電子機器に適用することが可能である。言い換えると、本実施形態及び変形例に係るタッチ検出機能付き表示装置は、外部から入力された映像信号或いは内部で生成した映像信号を、画像或いは映像として表示するあらゆる分野の電子機器に適用することが可能である。
【０２１４】
（適用例１）
図５４に示す電子機器は、本実施形態及び変形例に係るタッチ検出機能付き表示装置が適用されるテレビジョン装置である。このテレビジョン装置は、例えば、フロントパネル５１１及びフィルターガラス５１２を含む映像表示画面部５１０を有しており、この映像表示画面部５１０は、本実施形態及び変形例に係るタッチ検出機能付き表示装置である。
【０２１５】
（適用例２）
図５５及び図５６に示す電子機器は、本実施形態及び変形例に係るタッチ検出機能付き表示装置が適用されるディジタルカメラである。このディジタルカメラは、例えば、フラッシュ用の発光部５２１、表示部５２２、メニュースイッチ５２３及びシャッターボタン５２４を有しており、その表示部５２２は、本実施形態及び変形例に係るタッチ検出機能付き表示装置である。図５５に示すように、このディジタルカメラは、レンズカバー５２５を有しており、レンズカバー５２５をスライドさせることで撮影レンズが現れる。ディジタルカメラは、その撮影レンズから入射する光を撮像することで、ディジタル写真を撮影することができる。
【０２１６】
（適用例３）
図５７に示す電子機器は、本実施形態及び変形例に係るタッチ検出機能付き表示装置が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、本実施形態及び変形例に係るタッチ検出機能付き表示装置である。
【０２１７】
（適用例４）
図５８に示す電子機器は、本実施形態及び変形例に係るタッチ検出機能付き表示装置が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、本実施形態及び変形例に係るタッチ検出機能付き表示装置である。
【０２１８】
（適用例５）
図５９〜図６５に示す電子機器は、本実施形態及び変形例に係るタッチ検出機能付き表示装置が適用される携帯電話機である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４又はサブディスプレイ５５５は、本実施形態及び変形例に係るタッチ検出機能付き表示装置である。
【０２１９】
（適用例６）
図６６に示す電子機器は、携帯型コンピュータ、多機能な携帯電話、音声通話可能な携帯コンピュータ又は通信可能な携帯コンピュータとして動作し、いわゆるスマートフォン、タブレットと呼ばれることもある、携帯情報端末である。この携帯情報端末は、例えば筐体５６１の表面に表示部５６２を有している。この表示部５６２は、本実施形態及び変形例に係るタッチ検出機能付き表示装置である。
【符号の説明】
【０２２０】
１  タッチ検出機能付き表示装置
２  画素基板
３  対向基板
６  液晶層
７  タッチ検出機能付き表示装置
１０  タッチ検出機能付き表示デバイス
１１  制御部
１２  ゲートドライバ
１３  ソースドライバ
１４  選択スイッチ部
１５  駆動信号生成部
１６  駆動電極ドライバ
２０  液晶表示デバイス
２１  ＴＦＴ基板
２２  画素電極
３０  タッチ検出デバイス
３１  ガラス基板
４０  タッチ検出部
４２  ＬＰＦ部
４３  Ａ／Ｄ変換部
４４  信号処理部
４５  座標抽出部
４６  検出タイミング制御部
５１  走査制御部
５２  タッチ検出走査部
５３  駆動部
Ｂ  駆動電極ブロック
ＣＯＭＬ  駆動電極
Ｃｒｅｆ  コンデンサ
ＧＣＬ  走査信号線
ＬＣ  液晶素子
ＬＤＣ、ＬＨ  配線
Ｐｉｘ  画素
ＳＰｉｘ  サブ画素
ＳＧＬ  画素信号線
ＳＷｒｅｆ  スイッチ回路
Ｔ  フレキシブルプリント基板
ＴＤＬ  タッチ検出電極
Ｔｒ  ＴＦＴ素子
【図１】
2015135622.tif 000003
【図２】
2015135622.tif 000004
【図３】
2015135622.tif 000005
【図４】
2015135622.tif 000006
【図５】
2015135622.tif 000007
【図６】
2015135622.tif 000008
【図７】
2015135622.tif 000009
【図８】
2015135622.tif 000010
【図９】
2015135622.tif 000011
【図１０】
2015135622.tif 000012
【図１１】
2015135622.tif 000013
【図１２】
2015135622.tif 000014
【図１３】
2015135622.tif 000015
【図１４】
2015135622.tif 000016
【図１５】
2015135622.tif 000017
【図１６】
2015135622.tif 000018
【図１７】
2015135622.tif 000019
【図１８】
2015135622.tif 000020
【図１９】
2015135622.tif 000021
【図２０】
2015135622.tif 000022
【図２１】
2015135622.tif 000023
【図２２】
2015135622.tif 000024
【図２３】
2015135622.tif 000025
【図２４】
2015135622.tif 000026
【図２５】
2015135622.tif 000027
【図２６】
2015135622.tif 000028
【図２７】
2015135622.tif 000029
【図２８】
2015135622.tif 000030
【図２９】
2015135622.tif 000031
【図３０】
2015135622.tif 000032
【図３１】
2015135622.tif 000033
【図３２】
2015135622.tif 000034
【図３３】
2015135622.tif 000035
【図３４】
2015135622.tif 000036
【図３５】
2015135622.tif 000037
【図３６】
2015135622.tif 000038
【図３７】
2015135622.tif 000039
【図３８】
2015135622.tif 000040
【図３９】
2015135622.tif 000041
【図４０】
2015135622.tif 000042
【図４１】
2015135622.tif 000043
【図４２】
2015135622.tif 000044
【図４３】
2015135622.tif 000045
【図４４】
2015135622.tif 000046
【図４５】
2015135622.tif 000047
【図４６】
2015135622.tif 000048
【図４７】
2015135622.tif 000049
【図４８】
2015135622.tif 000050
【図４９】
2015135622.tif 000051
【図５０】
2015135622.tif 000052
【図５１】
2015135622.tif 000053
【図５２】
2015135622.tif 000054
【図５３】
2015135622.tif 000055
【図５４】
2015135622.tif 000056
【図５５】
2015135622.tif 000057
【図５６】
2015135622.tif 000058
【図５７】
2015135622.tif 000059
【図５８】
2015135622.tif 000060
【図５９】
2015135622.tif 000061
【図６０】
2015135622.tif 000062
【図６１】
2015135622.tif 000063
【図６２】
2015135622.tif 000064
【図６３】
2015135622.tif 000065
【図６４】
2015135622.tif 000066
【図６５】
2015135622.tif 000067
【図６６】
2015135622.tif 000068